(57)【特許請求の範囲】
【請求項１】
セッション処理方法であって、
第１アクセス・モビリティ管理機能（ＡＭＦ）ネットワーク要素が第２ＡＭＦネットワーク要素から第１メッセージを受信する段階であって、前記第１メッセージは、端末の現行セッションのセッション識別子と前記現行セッションに対応するネットワークスライスに関する情報とを含む、受信する段階と、
前記第１ＡＭＦネットワーク要素が前記現行セッションに対応するネットワークスライスをサポートしないと決定したとき、前記第１ＡＭＦネットワーク要素が前記第２ＡＭＦネットワーク要素に第１通知メッセージを送信する段階であって、前記第１通知メッセージは、前記現行セッションのネットワークリソースを解放するよう前記第２ＡＭＦネットワーク要素に通知するために使用する、送信する段階と
を備える方法。
【請求項２】
前記第１通知メッセージは、前記現行セッションのセッション識別子および原因値を含み、前記原因値は、前記第１ＡＭＦネットワーク要素が前記現行セッションに対応するネットワークスライスをサポートしないことを示す、
請求項１に記載の方法。
【請求項３】
前記第１ＡＭＦネットワーク要素が前記第２ＡＭＦネットワーク要素に前記第１通知メッセージを送信する前に、前記方法は、
前記第１ＡＭＦネットワーク要素がサポートするネットワークスライスに関する情報が前記現行セッションに対応するネットワークスライスに関する情報を含まないと決定したとき、前記第１ＡＭＦネットワーク要素が、前記現行セッションに対応するネットワークスライスをサポートしないと前記第１ＡＭＦネットワーク要素が決定する段階、または、
前記端末に割り当てられた、許可されたネットワークスライスに関する情報が前記現行セッションに対応するネットワークスライスに関する情報を含まないと決定したとき、前記第１ＡＭＦネットワーク要素が前記現行セッションに対応するネットワークスライスをサポートしないと前記第１ＡＭＦネットワーク要素が決定する段階をさらに備える、
請求項１または２に記載の方法。
【請求項４】
前記第１メッセージは、前記現行セッションと関連付けられたセッション管理機能（ＳＭＦ）ネットワーク要素識別子をさらに含む、
請求項１から３のいずれか一項に記載の方法。
【請求項５】
前記第１メッセージは、モビリティ管理コンテキストおよび前記端末の永続的識別子をさらに含む、
請求項４に記載の方法。
【請求項６】
前記第１メッセージは、前記現行セッションのデータネットワーク名（ＤＮＮ）をさらに含む、
請求項１から５のいずれか一項に記載の方法。
【請求項７】
セッション処理方法であって、
第２アクセス・モビリティ管理機能（ＡＭＦ）ネットワーク要素が第１ＡＭＦネットワーク要素に第１メッセージを送信する段階であって、前記第１メッセージは、端末の現行セッションのセッション識別子および前記現行セッションに対応するネットワークスライスに関する情報を含む、送信する段階と、
前記第２ＡＭＦネットワーク要素が前記第１ＡＭＦネットワーク要素から第１通知メッセージを受信する段階であって、前記第１通知メッセージは、前記現行セッションのネットワークリソースを解放するよう前記第２ＡＭＦネットワーク要素に通知するために使用する、受信する段階と、
前記第２ＡＭＦネットワーク要素が前記現行セッションに対応するネットワークリソースを解放する段階と
を備える方法。
【請求項８】
前記第１通知メッセージは、前記現行セッションのセッション識別子および原因値を含み、前記原因値は、前記第１ＡＭＦネットワーク要素が前記現行セッションに対応するネットワークスライスをサポートしないことを示す、
請求項７に記載の方法。
【請求項９】
前記方法は、
前記第２ＡＭＦネットワーク要素が、前記現行セッションと関連付けられたセッション管理機能（ＳＭＦ）ネットワーク要素に第２通知メッセージを送信する段階であって、前記第２通知メッセージは、前記端末が前記第２ＡＭＦネットワーク要素のスライスサービスエリア外に移動したことを前記ＳＭＦネットワーク要素に通知するために使用する、送信する段階をさらに備える、
請求項７または８に記載の方法。
【請求項１０】
前記第１メッセージは、前記ＳＭＦネットワーク要素の識別子をさらに含む、
請求項９に記載の方法。
【請求項１１】
前記第１メッセージは、モビリティ管理コンテキストおよび前記端末の永続的識別子をさらに含む、
請求項１０に記載の方法。
【請求項１２】
前記第１メッセージは、前記現行セッションのデータネットワーク名（ＤＮＮ）をさらに含む、
請求項７から１１のいずれか一項に記載の方法。
【請求項１３】
請求項１から６のいずれか一項に記載の方法を行うよう構成されるユニットを備えるセッション処理装置。
【請求項１４】
請求項７から１２のいずれか一項に記載の方法を行うよう構成されるモジュールを備えるセッション処理装置。
【請求項１５】
第１ＡＭＦネットワーク要素および第２ＡＭＦネットワーク要素を備えるセッション管理システムであって、
前記第２ＡＭＦネットワーク要素は、
前記第１ＡＭＦネットワーク要素に、端末の現行セッションのセッション識別子と、前記現行セッションに対応するネットワークスライスに関する情報とを含む第１メッセージを送信し、
前記第１ＡＭＦネットワーク要素から、前記現行セッションのネットワークリソースを解放するよう前記第２ＡＭＦネットワーク要素に通知する第１通知メッセージを受信し、
前記現行セッションに対応するネットワークリソースを解放するよう構成され、
前記第１ＡＭＦネットワーク要素は、
前記第２ＡＭＦネットワーク要素から前記第１メッセージを受信し、
前記第１ＡＭＦネットワーク要素が前記現行セッションに対応するネットワークスライスをサポートしないと決定したとき、前記第２ＡＭＦネットワーク要素に前記第１通知メッセージを送信するよう構成される、
システム。
【請求項１６】
前記第１通知メッセージは、前記現行セッションのセッション識別子および原因値を含み、前記原因値は、前記第１ＡＭＦネットワーク要素が前記現行セッションに対応するネットワークスライスをサポートしないことを示す、
請求項１５に記載のシステム。
【請求項１７】
前記第１ＡＭＦネットワーク要素はさらに、
前記第１ＡＭＦネットワーク要素がサポートするネットワークスライスに関する情報が前記現行セッションに対応するネットワークスライスに関する情報を含まないと決定することによって、前記第１ＡＭＦネットワーク要素が前記現行セッションに対応するネットワークスライスをサポートしないと決定するか、または、
前記端末に割り当てられた、許可されたネットワークスライスに関する情報が前記現行セッションに対応するネットワークスライスに関する情報を含まないと決定することによって、前記第１ＡＭＦネットワーク要素が前記現行セッションに対応するネットワークスライスをサポートしないと決定するよう構成される、
請求項１５または１６に記載のシステム。
【請求項１８】
前記第１メッセージは、前記端末の前記現行セッションと関連付けられたＳＭＦネットワーク要素識別子をさらに含む、
請求項１５から１７のいずれか一項に記載のシステム。
【請求項１９】
前記第１メッセージは、モビリティ管理コンテキストおよび前記端末の永続的識別子をさらに含む、
請求項１８に記載のシステム。
【請求項２０】
前記第１メッセージは、前記現行セッションのデータネットワーク名（ＤＮＮ）をさらに含む、
請求項１５から１９のいずれか一項に記載のシステム。
【請求項２１】
コンピュータに請求項１から６のいずれか一項に記載の方法を実行させるためのプログラム。
【請求項２２】
コンピュータに請求項７から１２のいずれか一項に記載の方法を実行させるためのプログラム。
【発明の詳細な説明】
【技術分野】
【０００１】
本出願は、通信技術分野に関し、具体的には、セッション処理方法および関連デバイスに関する。
【背景技術】
【０００２】
物理ネットワークは、ネットワークスライシング技術を使用することによって複数の仮想ネットワークに分割することができる。１つの「ネットワークスライス」として１つの仮想ネットワークを使用する。ネットワークスライスは全て互いに独立である。サービスシナリオの要件に応じて、各ネットワークスライスに対しネットワーク機能のカスタム化および管理が実行される。現在、端末は複数タイプのセッションを実行できる。セッションタイプが異なれば、サービスを提供するのに、それぞれに対応するセッションタイプをサポートするネットワークスライスが必要となる場合がある。
【０００３】
実際の応用では、端末のセッションに対応するネットワークスライスがアクセス・モビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）のネットワーク要素によってサポートされるネットワークスライスである場合、ＡＭＦネットワーク要素が端末のセッションのためにサービスを提供してよい。端末のセッションに対応するネットワークスライスがＡＭＦネットワーク要素によってサポートされないネットワークスライスである場合、ＡＭＦネットワーク要素は端末のセッションのためにサービスを提供することができない。
【０００４】
端末がネットワークに再登録する必要があるとき、端末の位置変化などの理由により、アクセスネットワークデバイスが端末に新しいＡＭＦネットワーク要素を選択してよく、それまで端末にサービス提供していたＡＭＦネットワーク要素は以前のＡＭＦネットワーク要素となる。言い換えれば、端末位置が変化したために、アクセスネットワークデバイスは端末のＡＭＦネットワーク要素を変更する必要がある。具体的には、変更先のＡＭＦネットワーク要素は新ＡＭＦネットワーク要素と命名され、変更前のＡＭＦネットワーク要素は旧ＡＭＦネットワーク要素と命名される。既存の解決手段においては、旧ＡＭＦネットワーク要素は、新ＡＭＦネットワーク要素がどのセッションをサービス提供できるかについても、新ＡＭＦネットワーク要素がどのセッションをサービス提供できないかについても認識していない。ゆえに、新ＡＭＦネットワーク要素がサービス提供できないセッションについては、旧ＡＭＦネットワーク要素が当該セッションの関連情報を依然として保持している。旧ＡＭＦネットワーク要素が長時間経過しても当該セッションに関連するシグナリングを受信しないか、または当該端末のセッションが非アクティブである旨を知らせる通知を受信した場合、旧ＡＭＦネットワーク要素は、当該セッションに対応するネットワークリソースを解放する。その結果、ネットワークリソースの無駄が生じる。
【発明の概要】
【０００５】
本出願の実施形態が解決しようとする技術課題は、セッション処理方法および関連デバイスを提供してネットワークリソースの無駄を削減することである。
【０００６】
第１態様において、本出願の一実施形態はセッション処理方法を提供する。当該方法は、第２ＡＭＦネットワーク要素が第１メッセージを第１ＡＭＦネットワーク要素に送信する段階であって、第１メッセージは、端末の現行セッションに対応する第２ネットワークスライスに関する情報を含み、セッションは１つのセッションまたは少なくとも２つのセッションを含む、送信する段階と、１つのセッションに対応する第２ネットワークスライスまたは少なくとも２つのセッションの全部もしくは一部に対応する第２ネットワークスライスを第１ＡＭＦネットワーク要素がサポートしないと決定したとき、第１ＡＭＦネットワーク要素が第２ＡＭＦネットワーク要素に第１通知メッセージを送信する段階であって、第１通知メッセージは、１つのセッションに対応する第２ネットワークスライスまたは少なくとも２つのセッションの全部もしくは一部に対応する第２ネットワークスライスを第１ＡＭＦネットワーク要素がサポートしないことを第２ＡＭＦネットワーク要素に通知するために使用する、送信する段階と、第２ＡＭＦネットワーク要素が１つのセッションに対応するネットワークリソースまたは少なくとも２つのセッションの全部もしくは一部に対応するネットワークリソースを解放する段階とを備える。
【０００７】
第１態様では、第１ＡＭＦネットワーク要素は、第１ＡＭＦネットワーク要素が端末の当該セッションに対応する第２ネットワークスライスをサポートしないことを通知する第１通知メッセージを第２ＡＭＦネットワーク要素に送信し、それにより、第２ＡＭＦネットワーク要素は、第１通知メッセージを受信した後、当該セッションが占有するネットワークリソースを解放することができ、その結果、ネットワークリソースの無駄が削減される。
【０００８】
可能な実装例において、第１ＡＭＦネットワーク要素が第１通知メッセージを第２ＡＭＦネットワーク要素に送信する前に、当該方法は、第１ＡＭＦネットワーク要素がサポートする第１ネットワークスライスに関する情報が１つのセッションに対応する第２ネットワークスライスに関する情報を含まないか、または、第１ＡＭＦネットワーク要素がサポートする第１ネットワークスライスに関する情報が少なくとも２つのセッションの全部もしくは一部に対応する第２ネットワークスライスに関する情報を含まないと決定したとき、第１ＡＭＦネットワーク要素が１つのセッションに対応する第２ネットワークスライスまたは少なくとも２つのセッションの全部もしくは一部に対応する第２ネットワークスライスをサポートしないと第１ＡＭＦネットワーク要素が決定する段階、または、端末に割り当てられた許可された第３ネットワークスライスに関する情報が、１つのセッションに対応する第２ネットワークスライスに関する情報を含まないか、または、端末に割り当てられた第３ネットワークスライスに関する情報が少なくとも２つのセッションの全部もしくは一部に対応する第２ネットワークスライスに関する情報を含まないと決定したとき、第１ＡＭＦネットワーク要素が１つのセッションに対応する第２ネットワークスライスまたは少なくとも２つのセッションの全部もしくは一部に対応する第２ネットワークスライスをサポートしないと第１ＡＭＦネットワーク要素が決定する段階であって、任意選択的に、第１ＡＭＦネットワーク要素は、端末の許可された第３ネットワークスライスに関する情報をＮＳＳＦネットワーク要素から取得してよい、決定する段階をさらに備える。
【０００９】
可能な実装例において、当該方法は、第２ＡＭＦネットワーク要素が１つのセッションのセッション識別子と関連付けられたＳＭＦネットワーク要素または少なくとも２つのセッションの全部もしくは一部のセッション識別子と関連付けられたＳＭＦネットワーク要素に第２通知メッセージを送信する段階であって、第２通知メッセージは、端末が第２ＡＭＦネットワーク要素のスライスサービスエリア外に移動したことをＳＭＦネットワーク要素に通知するために使用する、送信する段階と、ＳＭＦネットワーク要素が、端末のＳＭＦネットワーク要素と関連付けられたセッションが占有するネットワークリソースを解放する段階とをさらに備え、その結果、ネットワークリソースの無駄がさらに削減される。
【００１０】
可能な実装例において、ＳＭＦネットワーク要素は、当該セッションのセッション識別子と関連付けられたＵＰＦネットワーク要素に、端末が第２ＡＭＦネットワーク要素のスライスサービスエリア外に移動したことをＵＰＦネットワーク要素に通知するために使用する第３通知メッセージを送信し、ＵＰＦネットワーク要素は、端末のＵＰＦネットワーク要素と関連付けられたセッションが占有するネットワークリソースを解放する。その結果、ネットワークリソースの無駄がさらに削減される。
【００１１】
可能な実装例において、第１メッセージはコンテキスト応答メッセージであり、この場合、第１ＡＭＦネットワーク要素は、第２ＡＭＦネットワーク要素が第１メッセージを第１ＡＭＦネットワーク要素に送信する前に、端末コンテキスト取得要求を第２ＡＭＦネットワーク要素に送信する。
【００１２】
可能な実装例において、第１メッセージは、モビリティ管理コンテキスト、端末の永続的識別子、セッション識別子、および、セッション識別子と関連付けられたセッション管理機能ＳＭＦネットワーク要素識別子をさらに含み、当該セッションに対応する第２ネットワークスライスに関する情報は、ＳＭＦネットワーク要素がサポートするネットワークスライスに関する情報である。
【００１３】
可能な実装例において、１つのセッションに対応する第２ネットワークスライスまたは少なくとも２つのセッションの全部もしくは一部に対応する第２ネットワークスライスを第１ＡＭＦネットワーク要素がサポートすると決定したとき、第１ＡＭＦネットワーク要素は登録完了メッセージを端末に送信する。
【００１４】
可能な実装例において、第１メッセージは、セッション識別子またはセッション識別子と関連付けられたＳＭＦネットワーク要素識別子をさらに含み、当該セッションに対応する第２ネットワークスライスに関する情報は、ＳＭＦネットワーク要素がサポートするネットワークスライスに関する情報である。
【００１５】
可能な実装例において、第１ＡＭＦネットワーク要素が１つのセッションに対応する第２ネットワークスライスまたは少なくとも２つのセッションの全部もしくは一部に対応する第２ネットワークスライスをサポートすると決定したとき、第１ＡＭＦネットワーク要素は、１つのセッションのためのネットワークリソースまたは少なくとも２つのセッションの全部もしくは一部のためのネットワークリソースを準備する。
【００１６】
可能な実装例において、第１メッセージが端末の現行セッションのそれぞれのＤＮＮをさらに含むことにより、第１ＡＭＦネットワーク要素は、当該セッションに対応する、サポートされる第２ネットワークスライスに関する情報とＤＮＮとに基づいてＳＭＦネットワーク要素を選択する。
【００１７】
可能な実装例において、第２ＡＭＦネットワーク要素は、１つのセッションに対応するネットワークリソースまたは少なくとも２つのセッションの全部もしくは一部に対応するネットワークリソースを解放し、ここで、可能な具体的実行方式は、第１通知メッセージを受信したとき、１つのセッションに対応するネットワークリソースまたは少なくとも２つのセッションの全部もしくは一部に対応するネットワークリソースを、第２ＡＭＦネットワーク要素が直ちに解放するという方式であり、または、可能な具体的実行方式は、第１通知メッセージを受信したとき、１つのセッションに対応するネットワークリソースまたは少なくとも２つのセッションの全部もしくは一部に対応するネットワークリソースを、第２ＡＭＦネットワーク要素が、事前に設定した時間が経過した後に解放するという方式である。
【００１８】
第２態様においては、本出願の一実施形態は、別のセッション処理方法を提供する。当該方法は、第２ＡＭＦが端末の現行セッションに対応する第２ネットワークスライスに関する情報を取得する段階であって、当該セッションは、１つのセッションまたは少なくとも２つのセッションを含む、取得する段階と、第２ＡＭＦネットワーク要素がネットワークデバイスから第１メッセージを受信する段階であって、第１メッセージは、セッションの変更先の第１ＡＭＦネットワーク要素の識別子を含む、受信する段階と、第１ＡＭＦネットワーク要素が１つのセッションに対応する第２ネットワークスライスまたは少なくとも２つのセッションの全部もしくは一部に対応する第２ネットワークスライスをサポートしないと決定したとき、第２ＡＭＦネットワーク要素が１つのセッションに対応するネットワークリソースまたは少なくとも２つのセッションの全部もしくは一部に対応するネットワークリソースを解放する段階とを備える。
【００１９】
第２態様では、第１ＡＭＦネットワーク要素が端末のセッションの全部もしくは一部に対応する第２ネットワークスライスをサポートしないと第２ＡＭＦが決定することにより、第２ＡＭＦネットワーク要素は、サポートされないセッションが占有するネットワークリソースを解放でき、その結果、ネットワークリソースの無駄が削減される。
【００２０】
可能な実装例において、ネットワークデバイスは第１ＡＭＦネットワーク要素であってよく、またはネットワークデバイスは、ＮＲＦネットワーク要素であってよい。このことは、本発明の本実施形態において限定されない。
【００２１】
可能な実装例において、１つのセッションに対応するネットワークリソースまたは少なくとも２つのセッションの全部もしくは一部に対応するネットワークリソースを解放する前に、第２ＡＭＦネットワーク要素は、第１ＡＭＦネットワーク要素がサポートする第１ネットワークスライスに関する情報が１つのセッションに対応する第２ネットワークスライスに関する情報を含まないか、または、第１ＡＭＦネットワーク要素がサポートする第１ネットワークスライスに関する情報が少なくとも２つのセッションの全部もしくは一部に対応する第２ネットワークスライスに関する情報を含まないと決定したとき、第１ＡＭＦネットワーク要素が１つのセッションに対応する第２ネットワークスライスまたは少なくとも２つのセッションの全部もしくは一部に対応する第２ネットワークスライスをサポートしないと第２ＡＭＦネットワーク要素が決定する段階、または、端末に割り当てられた、許可された第３ネットワークスライスに関する情報が１つのセッションに対応する第２ネットワークスライスに関する情報を含まないか、または、端末に割り当てられた、許可された第３ネットワークスライスに関する情報が少なくとも２つのセッションの全部もしくは一部に対応する第２ネットワークスライスに関する情報を含まないと決定したとき、第１ＡＭＦネットワーク要素が１つのセッションに対応する第２ネットワークスライスまたは少なくとも２つのセッションの全部もしくは一部に対応する第２ネットワークスライスをサポートしないと第２ＡＭＦネットワーク要素が決定する段階をさらに行う。任意選択的に、第２ＡＭＦネットワーク要素は、端末の許可された第３ネットワークスライスに関する情報をＮＳＳＦネットワーク要素から取得してよい。このようにして、第２ＡＭＦネットワーク要素は、第１ＡＭＦネットワーク要素がサービス提供できるセッションと第１ＡＭＦネットワーク要素がサービス提供できないセッションとを決定できる。
【００２２】
可能な実装例において、第１メッセージは第１ＡＭＦネットワーク要素がサポートする第１ネットワークスライスに関する情報をさらに含み、それにより、第２ＡＭＦネットワーク要素は、第１ネットワークスライスに関する情報が端末の任意の現行セッションに対応する第２ネットワークスライスに関する情報を含むか否かを第１ネットワークスライスに関する情報に基づいて判断し、さらに、第１ＡＭＦネットワーク要素が当該セッションをサービス提供できるか否かを判断する。
【００２３】
可能な実装例において、当該方法は、１つのセッションに対応するネットワークリソースまたは少なくとも２つのセッションの全部もしくは一部に対応するネットワークリソースを解放したとき、第２ＡＭＦネットワーク要素が、１つのセッションのセッション識別子と関連付けられたセッション管理機能ＳＭＦネットワーク要素または少なくとも２つのセッションの全部もしくは一部のセッション識別子と関連付けられたＳＭＦネットワーク要素に第２通知メッセージを送信する段階であって、第２通知メッセージは、端末が第２ＡＭＦネットワーク要素のスライスサービスエリア外に移動したことをＳＭＦネットワーク要素に通知するために使用する、送信する段階をさらに備える。ＳＭＦネットワーク要素は、端末のＳＭＦネットワーク要素と関連付けられたセッションが占有するネットワークリソースを解放し、その結果、ネットワークリソースの無駄がさらに削減される。
【００２４】
可能な実装例において、ＳＭＦネットワーク要素は、セッションのセッション識別子と関連付けられたＵＰＦネットワーク要素に、端末が第２ＡＭＦネットワーク要素のスライスサービスエリア外に移動したことをＵＰＦネットワーク要素に通知するために使用する第３通知メッセージを送信し、ＵＰＦネットワーク要素は、端末のＵＰＦネットワーク要素と関連付けられたセッションが占有するネットワークリソースを解放し、その結果、ネットワークリソースの無駄がさらに削減される。
【００２５】
可能な実装例において、当該方法は、第１ＡＭＦネットワーク要素が１つのセッションに対応する第２ネットワークスライスまたは少なくとも２つのセッションの全部もしくは一部に対応する第２ネットワークスライスをサポートすると決定したとき、第２ＡＭＦネットワーク要素が第１ＡＭＦネットワーク要素に第１通知メッセージを送信する段階であって、第１通知メッセージは、１つのセッションに対応する第２ネットワークスライスまたは少なくとも２つのセッションの全部もしくは一部に対応する第２ネットワークスライスを第１ＡＭＦネットワーク要素がサポートすることを第１ＡＭＦネットワーク要素に通知するために使用する、送信する段階と、第１ＡＭＦネットワーク要素が、１つのセッションのためのネットワークリソースまたは少なくとも２つのセッションの全部もしくは一部のためのネットワークリソースを準備する段階とをさらに備える。
【００２６】
可能な実装例において、第１通知メッセージが、第１ＡＭＦネットワーク要素がサポートする第２ネットワークスライスに対応するセッションのＤＮＮをさらに含むことにより、第１ＡＭＦネットワーク要素は、当該セッションに対応する、サポートされる第２ネットワークスライスに関する情報とＤＮＮとに基づいてＳＭＦネットワーク要素を選択する。
【００２７】
第３態様において、本出願の一実施形態は、別のセッション処理方法を提供する。当該方法は、第２ＡＭＦが端末の現行セッションに対応する第２ネットワークスライスに関する情報を取得する段階であって、セッションは１つのセッションまたは少なくとも２つのセッションを含む、取得する段階と、第２ＡＭＦネットワーク要素がネットワークデバイスから第１メッセージを受信する段階であって、第１メッセージは、第１ＡＭＦネットワーク要素がサポートする第１ネットワークスライスに関する情報を含む、受信する段階と、第１ネットワークスライスに関する情報が第２セッションに対応する第２ネットワークスライスに関する情報を含まないと決定したとき、第２ＡＭＦネットワーク要素が第２セッションに対応するネットワークリソースを解放する段階であって、セッションは第２セッションを含み、セッションのうちの第２セッション以外のセッションは第１セッションである、解放する段階とを備える。
【００２８】
第３態様では、第１ＡＭＦネットワーク要素が端末のセッションの全部もしくは一部に対応する第２ネットワークスライスをサポートしないことにより、第２ＡＭＦネットワーク要素はサポートされないセッションが占有するネットワークリソースを解放でき、その結果、ネットワークリソースの無駄が削減される。
【００２９】
可能な実装例において、当該方法は、第２セッションに対応するネットワークリソースを解放したとき、第２ＡＭＦネットワーク要素が第２セッションと関連付けられたセッション管理機能ＳＭＦネットワーク要素に第２通知メッセージを送信する段階であって、第２通知メッセージは、端末が第２ＡＭＦネットワーク要素のスライスサービスエリア外に移動したことをＳＭＦネットワーク要素に通知するために使用する、送信する段階と、ＳＭＦネットワーク要素が、端末のＳＭＦネットワーク要素と関連付けられたセッションが占有するネットワークリソースを解放する段階とをさらに備え、その結果、ネットワークリソースの無駄がさらに削減される。
【００３０】
可能な実装例において、ＳＭＦネットワーク要素は、端末が第２ＡＭＦネットワーク要素のスライスサービスエリア外に移動したことをＵＰＦネットワーク要素に通知するために使用する第３通知メッセージをセッションのセッション識別子と関連付けられたＵＰＦネットワーク要素に送信し、ＵＰＦネットワーク要素は、端末のＵＰＦネットワーク要素と関連付けられたセッションが占有するネットワークリソースを解放し、その結果、ネットワークリソースの無駄がさらに削減される。
【００３１】
可能な実装例において、当該方法は、第１ネットワークスライスに関する情報が第１セッションに対応する第２ネットワークスライスに関する情報を含むと決定したとき、第２ＡＭＦネットワーク要素が第１ＡＭＦネットワーク要素に第１通知メッセージを送信する段階であって、第１通知メッセージは、第１ネットワークスライスに関する情報が第１セッションに対応する第２ネットワークスライスに関する情報を含むことを第１ＡＭＦネットワーク要素に通知するために使用する、送信する段階、または、第１ＡＭＦネットワーク要素が第３セッションに対応する第２ネットワークスライスをサポートしないと決定したとき、第１ＡＭＦネットワーク要素が第２ＡＭＦネットワーク要素に第４通知メッセージを送信する段階であって、第４通知メッセージは、第１ＡＭＦネットワーク要素が第３セッションに対応する第２ネットワークスライスをサポートしないことを通知するために使用し、第３セッションは第１セッションの全部もしくは一部のセッションである、送信する段階をさらに備える。
【００３２】
可能な実装例において、当該方法は、第１ＡＭＦネットワーク要素が第３セッションに対応する第２ネットワークスライスをサポートしないと決定したとき、第１ＡＭＦネットワーク要素が第２ＡＭＦネットワーク要素に第４通知メッセージを送信する段階であって、第４通知メッセージは、第１ＡＭＦネットワーク要素が第３セッションに対応する第２ネットワークスライスをサポートしないことを通知するために使用し、第３セッションは第１セッションの全部もしくは一部のセッションである、送信する段階と、第２ＡＭＦネットワーク要素が第３セッションに対応するネットワークリソースを解放する段階とをさらに備える。
【００３３】
可能な実装例において、第１ＡＭＦネットワーク要素が第２ＡＭＦネットワーク要素に第４通知メッセージを送信する前に、当該方法は、端末に割り当てられた、許可された第３ネットワークスライスに関する情報を第１ＡＭＦネットワーク要素が取得する段階と、第３ネットワークスライスに関する情報が第３セッションに対応する第２ネットワークスライスに関する情報を含まないと決定したとき、第１ＡＭＦネットワーク要素は第３セッションに対応する第２ネットワークスライスをサポートしないと第１ＡＭＦネットワーク要素が決定する段階とをさらに備える。任意選択的に、第１ＡＭＦネットワーク要素は、端末の許可された第３ネットワークスライスに関する情報をＮＳＳＦネットワーク要素から取得してよい。
【００３４】
可能な実装例において、第１通知メッセージが第１セッションのＤＮＮをさらに含むことにより、第１ＡＭＦネットワーク要素は、当該セッションに対応する、サポートされる第２ネットワークスライスに関する情報とＤＮＮとに基づいてＳＭＦネットワーク要素を選択する。
【００３５】
第４態様において、本出願の一実施形態は第１ＡＭＦネットワーク要素を提供する。第１ＡＭＦネットワーク要素は、上述の方法設計における第１ＡＭＦネットワーク要素の動作を実装する機能を備える。当該機能は、ハードウェアによって実装されてよく、または、対応するソフトウェアを実行することでハードウェアによって実装されてよく、ハードウェアまたはソフトウェアは、当該機能に対応する１または複数のモジュールを含む。
【００３６】
可能な実装例において、第１ＡＭＦネットワーク要素はプロセッサを含み、プロセッサは上述の方法における対応する機能を実行する際、第１ＡＭＦネットワーク要素をサポートするよう構成される。また、第１ＡＭＦネットワーク要素は通信インタフェースをさらに備えてよく、通信インタフェースは、第１ＡＭＦネットワーク要素と第２ＡＭＦネットワーク要素または別のネットワーク要素との間の通信をサポートするよう構成される。また、第１ＡＭＦネットワーク要素はメモリをさらに備えてよく、メモリはプロセッサに接続されるよう構成され、第１ＡＭＦネットワーク要素に必要なプログラム命令およびデータを記憶する。
【００３７】
第５態様において、本出願の一実施形態は第２ＡＭＦネットワーク要素を提供する。第２ＡＭＦネットワーク要素は、上述の方法設計における第２ＡＭＦネットワーク要素の動作を実装する機能を備える。当該機能は、ハードウェアによって実装されてよく、または、対応するソフトウェアを実行することでハードウェアによって実装されてよく、ハードウェアまたはソフトウェアは、当該機能に対応する１または複数のモジュールを含む。
【００３８】
可能な実装例において、第２ＡＭＦネットワーク要素はプロセッサを含み、プロセッサは上述の方法における対応する機能を実行する際、第２ＡＭＦネットワーク要素をサポートするよう構成される。また、第２ＡＭＦネットワーク要素は通信インタフェースをさらに備えてよく、通信インタフェースは、第２ＡＭＦネットワーク要素と第１ＡＭＦネットワーク要素、ＳＭＦネットワーク要素、または別のネットワーク要素との間の通信をサポートするよう構成される。また、第２ＡＭＦネットワーク要素はメモリをさらに備えてよく、メモリはプロセッサに接続されるよう構成され、第２ＡＭＦネットワーク要素に必要なプログラム命令およびデータを記憶する。
【００３９】
第６態様において、本出願の一実施形態はＳＭＦネットワーク要素を提供する。ＳＭＦネットワーク要素は、上述の方法設計におけるＳＭＦネットワーク要素の動作を実装する機能を備える。当該機能は、ハードウェアによって実装されてよく、または、対応するソフトウェアを実行することでハードウェアによって実装されてよく、ハードウェアまたはソフトウェアは、当該機能に対応する１または複数のモジュールを含む。
【００４０】
可能な実装例において、ＳＭＦネットワーク要素はプロセッサを含み、プロセッサは上述の方法における対応する機能を実行する際、ＳＭＦネットワーク要素をサポートするよう構成される。また、ＳＭＦネットワーク要素は通信インタフェースをさらに備えてよく、通信インタフェースは、ＳＭＦネットワーク要素と第２ＡＭＦネットワーク要素、ＵＰＦネットワーク要素、または別のネットワーク要素との間の通信をサポートするよう構成される。また、ＳＭＦネットワーク要素はメモリをさらに備えてよく、メモリはプロセッサに接続されるよう構成され、ＳＭＦネットワーク要素に必要なプログラム命令およびデータを記憶する。
【００４１】
第７態様において、本出願の一実施形態はＵＰＦネットワーク要素を提供する。ＵＰＦネットワーク要素は、上述の方法設計におけるＵＰＦネットワーク要素の動作を実装する機能を備える。当該機能は、ハードウェアによって実装されてよく、または、対応するソフトウェアを実行することでハードウェアによって実装されてよく、ハードウェアまたはソフトウェアは、当該機能に対応する１または複数のモジュールを含む。
【００４２】
可能な実装例において、ＵＰＦネットワーク要素はプロセッサを含み、プロセッサは上述の方法における対応する機能を実行する際、ＵＰＦネットワーク要素をサポートするよう構成される。また、ＵＰＦネットワーク要素は通信インタフェースをさらに備えてよく、通信インタフェースは、ＵＰＦネットワーク要素とＳＭＦネットワーク要素または別のネットワーク要素との間の通信をサポートするよう構成される。また、ＵＰＦネットワーク要素はメモリをさらに備えてよく、メモリはプロセッサに接続されるよう構成され、ＵＰＦネットワーク要素に必要なプログラム命令およびデータを記憶する。
【００４３】
第８態様においては、通信システムを提供する。通信システムは、第４態様に係る第１ＡＭＦネットワーク要素および第５態様に係る第２ＡＭＦネットワーク要素を備えるか、または、第４態様に係る第１ＡＭＦネットワーク要素、第５態様に係る第２ＡＭＦネットワーク要素、および第６態様に係るＳＭＦネットワーク要素を備えるか、または、第４態様に係る第１ＡＭＦネットワーク要素、第５態様に係る第２ＡＭＦネットワーク要素、第６態様に係るＳＭＦネットワーク要素、および第７態様に係るＵＰＦネットワーク要素を備える。
【００４４】
第９態様においては、コンピュータ可読媒体を提供する。コンピュータ可読媒体は、コンピュータプログラムを記憶するよう構成され、コンピュータプログラムは、第１態様または第１態様の可能な実装例のいずれか１つの方法を行うために使用する命令を含む。
【００４５】
第１０態様においては、コンピュータ可読媒体を提供する。コンピュータ可読媒体は、コンピュータプログラムを記憶するよう構成され、コンピュータプログラムは、第２態様または第２態様の可能な実装例のいずれか１つの方法を行うために使用する命令を含む。
【００４６】
第１１態様においては、コンピュータ可読媒体を提供する。コンピュータ可読媒体は、コンピュータプログラムを記憶するよう構成され、コンピュータプログラムは、第３態様または第３態様の可能な実装例のいずれか１つの方法を行うために使用する命令を含む。
【００４７】
第１２態様においては、命令を含むコンピュータプログラム製品を提供する。コンピュータプログラム製品がコンピュータ上で動作すると、コンピュータは、第１態様または第１態様の可能な実装例のいずれか１つの方法を行うために使用する命令を含む。
【００４８】
第１３態様においては、命令を含むコンピュータプログラム製品を提供する。コンピュータプログラム製品がコンピュータ上で動作すると、コンピュータは、第２態様または第２態様の可能な実装例のいずれか１つの方法を行うために使用する命令を含む。
【００４９】
第１４態様においては、命令を含むコンピュータプログラム製品を提供する。コンピュータプログラム製品がコンピュータ上で動作すると、コンピュータは、第３態様または第３態様の可能な実装例のいずれか１つの方法を行うために使用する命令を含む。
【００５０】
先行技術と比較すると本出願の実施形態では、第１ＡＭＦネットワーク要素が端末の現行セッションに対応するネットワークスライスをサポートすると決定したとき、第１ＡＭＦネットワーク要素は第２ＡＭＦネットワーク要素に第１通知メッセージを送信でき、それにより、第２ＡＭＦネットワーク要素は適時に第１ネットワークリソースを解放できる。その結果、ネットワークリソースの無駄が削減される。
【図面の簡単な説明】
【００５１】
【図１】本出願の一実施形態に係る通信システムの概略アーキテクチャ図である。
【００５２】
【図２Ａ】本出願の一実施形態に係る可能なシナリオ図である。
【００５３】
【図２Ｂ】本出願の一実施形態に係る別の可能なシナリオ図である。
【００５４】
【図３】本出願の一実施形態に係るセッション処理方法の通信についての概略図である。
【００５５】
【図４】本出願の一実施形態に係る別のセッション処理方法の通信についての概略図である。
【００５６】
【図５Ａ】本出願の一実施形態に係るさらに別のセッション処理方法の通信についての概略図である。
【図５Ｂ】本出願の一実施形態に係るさらに別のセッション処理方法の通信についての概略図である。
【００５７】
【図６Ａ】本出願の一実施形態に係るさらに別のセッション処理方法の通信についての概略図である。
【図６Ｂ】本出願の一実施形態に係るさらに別のセッション処理方法の通信についての概略図である。
【００５８】
【図７】本出願の一実施形態に係るさらに別のセッション処理方法の通信についての概略図である。
【００５９】
【図８Ａ】本出願の一実施形態に係るさらに別のセッション処理方法の通信についての概略図である。
【図８Ｂ】本出願の一実施形態に係るさらに別のセッション処理方法の通信についての概略図である。
【００６０】
【図９】本出願の一実施形態に係る第１アクセス・モビリティ管理機能ネットワーク要素の概略ブロック図である。
【００６１】
【図１０】本出願の一実施形態に係る別の第１アクセス・モビリティ管理機能ネットワーク要素の概略ブロック図である。
【００６２】
【図１１】本出願の一実施形態に係る第１アクセス・モビリティ管理機能ネットワーク要素の概略構造図である。
【００６３】
【図１２】本出願の一実施形態に係る第２アクセス・モビリティ管理機能ネットワーク要素の概略ブロック図である。
【００６４】
【図１３】本出願の一実施形態に係る別の第２アクセス・モビリティ管理機能ネットワーク要素の概略ブロック図である。
【００６５】
【図１４】本出願の一実施形態に係る第２アクセス・モビリティ管理機能ネットワーク要素の概略構造図である。
【００６６】
【図１５】本出願の一実施形態に係るセッション管理機能ネットワーク要素の概略ブロック図である。
【００６７】
【図１６】本出願の一実施形態に係る別のセッション管理機能ネットワーク要素の概略ブロック図である。
【００６８】
【図１７】本出願の一実施形態に係るセッション管理機能ネットワーク要素の概略構造図である。
【００６９】
【図１８】本出願の一実施形態に係るユーザプレーン機能ネットワーク要素の概略ブロック図である。
【００７０】
【図１９】本出願の一実施形態に係る別のユーザプレーン機能ネットワーク要素の概略ブロック図である。
【００７１】
【図２０】本出願の一実施形態に係るユーザプレーン機能ネットワーク要素の概略構造図である。
【発明を実施するための形態】
【００７２】
本出願の実施形態における添付の図面に関連して、本出願の実施形態を以下に説明する。
【００７３】
図１を参照すると、図１は、本出願の一実施形態に係る通信システムの概略アーキテクチャ図である。以下は、図１の様々なネットワーク要素の説明である。
【００７４】
端末は、ユーザ機器（ｕｓｅｒ  ｅｑｕｉｐｍｅｎｔ、ＵＥ）、携帯用端末、ノートパソコン、加入者ユニット（ｓｕｂｓｃｒｉｂｅｒ  ｕｎｉｔ）、携帯電話（ｃｅｌｌｕｌａｒ  ｐｈｏｎｅ）、スマートフォン（ｓｍａｒｔｐｈｏｎｅ）、無線データカード、パーソナルデジタルアシスタント（ｐｅｒｓｏｎａｌ  ｄｉｇｉｔａｌ  ａｓｓｉｓｔａｎｔ、ＰＤＡ）コンピュータ、タブレットコンピュータ、無線モデム（ｍｏｄｅｍ）、携帯用デバイス（ｈａｎｄｈｅｌｄ）、ラップトップコンピュータ（ｌａｐｔｏｐ  ｃｏｍｐｕｔｅｒ）、コードレス電話（ｃｏｒｄｌｅｓｓ  ｐｈｏｎｅ）、無線ローカルループ（ｗｉｒｅｌｅｓｓ  ｌｏｃａｌ  ｌｏｏｐ、ＷＬＬ）局、マシンタイプ通信（ｍａｃｈｉｎｅ  ｔｙｐｅ  ｃｏｍｍｕｎｉｃａｔｉｏｎ、ＭＴＣ）端末、または、ネットワークにアクセス可能な別のデバイスであってよい。端末とアクセスネットワークデバイスとの間の相互通信にはエアインタフェース技術が使用される。
【００７５】
無線アクセスネットワーク（ｒａｄｉｏ  ａｃｃｅｓｓ  ｎｅｔｗｏｒｋ、ＲＡＮ）デバイスは、主に無線リソースの管理、クオリティオブサービス（ｑｕａｌｉｔｙ  ｏｆ  ｓｅｒｖｉｃｅ、ＱｏＳ）の管理、およびデータの圧縮および暗号化などのエアインタフェース側の機能の実装を担う。アクセスネットワークデバイスは、例えばマクロ基地局、マイクロ基地局（スモールセルとも称される）、リレー局、およびアクセスポイントといった様々な形態の局を含んでよい。基地局機能を有するデバイスの名称は、使用する無線アクセス技術が異なればシステムごとに異なってよい。例えば、第５世代（５ｔｈ  ｇｅｎｅｒａｔｉｏｎ、５Ｇ）システムでは、デバイスはｇＮＢと称され、ＬＴＥシステムでは発展型ノードＢ（ｅｖｏｌｖｅｄ  ＮｏｄｅＢ、ｅＮＢ、またはｅＮｏｄｅＢ）と称され、第３世代（３ｒｄ  ｇｅｎｅｒａｔｉｏｎ、３Ｇ）システムではノードＢ（ＮｏｄｅＢ）と称される。
【００７６】
アクセス・モビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）ネットワーク要素はコアネットワークのネットワーク要素であり、主にシグナリング処理の部分、具体的にはアクセス制御、モビリティ管理、アタッチ、デタッチ、およびゲートウェイ選択などの機能を含む制御プレーン機能を担う。端末のセッションをサービス提供するとき、ＡＭＦネットワーク要素はセッション用に制御プレーンの記憶リソースを提供して、セッション識別子およびセッション識別子と関連付けられたＳＭＦネットワーク要素識別子等が記憶される。
【００７７】
セッション管理機能（ｓｅｓｓｉｏｎ  ｍａｎａｇｅｍｅｎｔ  ｆｕｎｃｔｉｏｎ、ＳＭＦ）ネットワーク要素は、ユーザプレーンのネットワーク要素の選択、ユーザプレーンのネットワーク要素のリダイレクト、ＩＰ（Ｉｎｔｅｒｎｅｔ  Ｐｒｏｔｏｃｏｌ）アドレスの割り当て、ベアラの構築、変更および解放、ならびにＱｏＳの制御を担う。
【００７８】
ネットワーク機能リポジトリ機能（ＮＦ  Ｒｅｐｏｓｉｔｏｒｙ  Ｆｕｎｃｔｉｏｎ、ＮＲＦ）ネットワーク要素は、例えばＡＭＦネットワーク要素に関する情報およびＳＭＦネットワーク要素に関する情報といった別のネットワーク要素に関する情報を記憶する。
【００７９】
ユーザプレーン機能（ｕｓｅｒ−ｐｌａｎｅ  ｆｕｎｃｔｉｏｎ、ＵＰＦ）ネットワーク要素は、端末上のユーザデータの転送および受信を担う。ＵＰＦネットワーク要素は、データネットワークからユーザデータを受信し、アクセスネットワークデバイスを使用してユーザデータを端末に送信してよく、または、アクセスネットワークデバイスを使用して端末からユーザデータを受信し、ユーザデータをデータネットワークに転送してよい。ＵＰＦネットワーク要素において端末にサービス提供する伝送リソースおよびスケジューリング機能が、ＳＭＦネットワーク要素によって管理および制御される。
【００８０】
図１に示すアーキテクチャでは、アクセスネットワークデバイスが少なくとも１つの端末と通信してよく、少なくとも１つのＡＭＦネットワーク要素に接続されてよい。１つのＡＭＦネットワーク要素が、１または複数の異なるタイプのネットワークスライスをサポートしてよい。複数のＡＭＦネットワーク要素が、それぞれ異なるタイプのネットワークスライスをサポートしてよい。１つのＡＭＦネットワーク要素が、複数のＳＭＦネットワーク要素への通信接続を確立してよい。各ＳＭＦネットワーク要素は１つのネットワークスライスインスタンスに位置しており、１つのＳＭＦネットワーク要素は、１つのＡＭＦネットワーク要素がサポートするネットワークスライスに対応する。任意選択的に、１つのＳＭＦネットワーク要素が、複数のＡＭＦネットワーク要素に接続されてよい。加えて、１つのＳＭＦネットワーク要素が複数のＵＰＦネットワーク要素に接続されてよく、１つのＵＰＦネットワーク要素が１つのＳＭＦネットワーク要素に接続されてよい。この場合、１つのＳＭＦネットワーク要素は、複数のＵＰＦネットワーク要素の管理および制御行うことができ、１つのＵＰＦネットワーク要素は、１つのＳＭＦネットワーク要素によって管理および制御されてよい。ＵＰＦネットワーク要素はアクセスネットワークデバイスへの接続を確立して、端末に関連するデータ伝送を実装してよい。
【００８１】
例えば、１つのＡＭＦネットワーク要素が２つのＳＭＦネットワーク要素への接続を確立し、当該２つのＳＭＦネットワーク要素は第１ＳＭＦネットワーク要素および第２ＳＭＦネットワーク要素であり、ＡＭＦネットワーク要素がサポートするネットワークスライスタイプは、ネットワークスライスタイプ１およびネットワークスライスタイプ２を含み、ネットワークスライスタイプ１はネットワークスライス１に対応し、ネットワークスライスタイプ２はネットワークスライス２に対応する。この場合、第１ＳＭＦネットワーク要素はネットワークスライス１に対応するＳＭＦネットワーク要素であり、第２ＳＭＦネットワーク要素はネットワークスライス２に対応するＳＭＦネットワーク要素である。
【００８２】
本出願の本実施形態では、セッションのサービスタイプをサポートできるネットワークスライスに関する情報を示すために、当該セッションに対応するネットワークスライスに関する情報を使用し、セッション識別子と関連付けられたＳＭＦネットワーク要素は、セッションをサービス提供するＳＭＦネットワーク要素であることに留意されたい。
【００８３】
任意選択的に、本出願の本実施形態では、ＳＭＦネットワーク要素に対応するネットワークスライスは、ＳＭＦネットワーク要素が位置するネットワークスライスとして説明されてもよい。また、１つのタイプのネットワークスライスが、複数のネットワークスライスインスタンスに対応していてよい。ゆえに、ＳＭＦネットワーク要素に対応するネットワークスライスは、ＳＭＦネットワーク要素に対応するネットワークスライスインスタンスとして説明されてもよく、ＳＭＦネットワーク要素が位置するネットワークスライスは、ＳＭＦネットワーク要素が位置するネットワークスライスインスタンスとして説明されてもよい。このことは、本出願の本実施形態において限定されない。
【００８４】
端末がネットワークに登録する過程において、端末は、アクセスネットワークデバイスを使用してＡＭＦネットワーク要素に、例えばネットワークスライス選択支援情報（ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、ＮＳＳＡＩ）であってよい、構成されたネットワークスライス情報を送信し、ＡＭＦネットワーク要素は、端末がどのスライス情報を使用可能なのかを端末のサブスクリプションとオペレータポリシとに基づいて決定し、ネットワークが受け付けたＮＳＳＡＩ情報を端末に返送する。次に、端末がセッションを確立する過程において、受け付けられたＮＳＳＡＩ情報を端末がアクセスネットワークデバイスに送信することにより、アクセスネットワークデバイスは、受け付けられたＮＳＳＡＩ情報をサポートするＡＭＦネットワーク要素を端末のために選択する。最後に、ＡＭＦネットワーク要素が端末のためにＳＭＦネットワーク要素を選択し、ＳＭＦネットワーク要素がＵＰＦネットワーク要素を選択して、端末にセッションサービスが提供される。
【００８５】
実際の応用では、端末のセッションに対応するネットワークスライスがＡＭＦネットワーク要素によってサポートされるネットワークスライスである場合、ＡＭＦネットワーク要素は端末のセッションをサービス提供してよく、または、端末のセッションに対応するネットワークスライスがＡＭＦネットワーク要素によってサポートされないネットワークスライスである場合、ＡＭＦネットワーク要素は端末のセッションをサービス提供できない。
【００８６】
図２Ａを参照すると、図２Ａは、本出願の一実施形態に係る可能なシナリオの概略図である。図２Ａに示すように、端末は、アクセスネットワークデバイスと通信する。アクセスネットワークデバイスは、第１ＡＭＦネットワーク要素および第２ＡＭＦネットワーク要素の両方に接続され、第２ＡＭＦネットワーク要素は、ＳＭＦネットワーク要素１、ＳＭＦ２、およびＳＭＦネットワーク要素３の全てへの接続を確立し、第１ＡＭＦネットワーク要素は、ＳＭＦネットワーク要素４およびＳＭＦ５の両方への接続を確立する。第２ＡＭＦネットワーク要素は、ネットワークスライス１、ネットワークスライス２、およびネットワークスライス３をサポートし、ＳＭＦネットワーク要素１が位置するネットワークスライスはネットワークスライス１であり、ＳＭＦネットワーク要素２が位置するネットワークスライスはネットワークスライス２であり、ＳＭＦネットワーク要素３が位置するネットワークスライスはネットワークスライス３である。第１ＡＭＦネットワーク要素は、ネットワークスライス１およびネットワークスライス４をサポートし、ＳＭＦネットワーク要素４が位置するネットワークスライスはネットワークスライス１であり、ＳＭＦネットワーク要素５が位置するネットワークスライスはネットワークスライス４である。
【００８７】
図２Ａのシナリオ図に基づけば、例えば、端末がアクセスネットワークデバイスを使用してネットワークに登録した後、端末のセッションをサービス提供するＡＭＦネットワーク要素は第２ＡＭＦネットワーク要素である。端末が確立するセッションに対応するネットワークスライスは、ネットワークスライス１およびネットワークスライス２である。端末への接続が遮断され、端末がアイドル状態である場合、端末がネットワークに再登録する必要があるとき、端末の位置変化などの理由により、アクセスネットワークデバイスは、端末のために第１ＡＭＦネットワーク要素を選択してよい。復元されるべき端末のセッションに対応するネットワークスライスはネットワークスライス１およびネットワークスライス２であるところ、第１ＡＭＦネットワーク要素はネットワークスライス１をサポートするがネットワークスライス２はサポートしないため、第１ＡＭＦネットワーク要素は、ネットワークスライス１に対応する端末のセッションしか復元できない。既存の解決手段では、第２ＡＭＦネットワーク要素は、第１ＡＭＦネットワーク要素がサービス提供できるセッションおよび第１ＡＭＦネットワーク要素がサービス提供できないセッションを認識していないため、第２ＡＭＦネットワーク要素が依然としてネットワークスライス１に対応するセッションに関する情報を保持し、ネットワークスライス１に対応するセッションと関連付けられたＳＭＦネットワーク要素２は、セッションに関するシグナリングを待ち続ける。長時間が経過してもセッションに関するシグナリングが受信されないか、または、ＵＥにおけるセッションが非アクティブである旨を知らせる通知を第２ＡＭＦネットワーク要素が受信した場合、例えば第２ＡＭＦネットワーク要素におけるセッションに関連する情報が占有する制御プレーンリソースまたはＳＭＦネットワーク要素２におけるシグナリングが占有する制御プレーンリソースといった、セッションに対応するネットワークリソースが解放される。その結果、解放が行われない期間内でネットワークリソースの無駄が生じる。
【００８８】
また、図２Ｂを参照すると、図２Ｂは、本出願の一実施形態に係る別の可能なシナリオの概略図である。図２Ｂに示すように、端末は、アクセスネットワークデバイス１への接続を確立する。アクセスネットワークデバイス１は、第２ＡＭＦネットワーク要素に接続される。第２ＡＭＦネットワーク要素は、ＳＭＦネットワーク要素６、ＳＭＦ７、およびＳＭＦネットワーク要素８の全てへの接続を確立する。第１ＡＭＦネットワーク要素は、ＳＭＦネットワーク要素９およびＳＭＦ１０の両方への接続を確立し、第１ＡＭＦネットワーク要素は、アクセスネットワークデバイス２への接続を確立する。第２ＡＭＦネットワーク要素は、ネットワークスライス１、ネットワークスライス２、およびネットワークスライス３をサポートし、ＳＭＦネットワーク要素６が位置するネットワークスライスはネットワークスライス１であり、ＳＭＦネットワーク要素７が位置するネットワークスライスはネットワークスライス２であり、ＳＭＦネットワーク要素８が位置するネットワークスライスはネットワークスライス３であり、ＳＭＦネットワーク要素９が位置するネットワークスライスはネットワークスライス１であり、ＳＭＦネットワーク要素１０が位置するネットワークスライス４はネットワークスライスである。
【００８９】
図２Ｂのシナリオ図に基づけば、例えば、端末がアクセスネットワークデバイス１を使用してネットワークに登録した後、端末のセッションをサービス提供するＡＭＦネットワーク要素は、第２ＡＭＦネットワーク要素である。端末が確立するセッションに対応するネットワークスライスは、ネットワークスライス１およびネットワークスライス２である。しかしながら、アクセスネットワークデバイス１は、端末の位置変化により、端末のためのＡＭＦネットワーク要素を変更する必要がある。第２ＡＭＦネットワーク要素は、ＮＲＦにネットワーク要素発見要求を送信し、ＮＲＦは、端末のために第１ＡＭＦネットワーク要素を選択する。復元されるべき端末のセッションに対応するネットワークスライスはネットワークスライス１およびネットワークスライス２であるが、第１ＡＭＦネットワーク要素は、ネットワークスライス２をサポートしない。ゆえに、第１ＡＭＦネットワーク要素は、ネットワークスライス１に対応する端末のセッションしか復元できない。既存の解決手段では、第２ＡＭＦネットワーク要素は、第１ＡＭＦネットワーク要素がサービス提供できるセッションおよび第１ＡＭＦネットワーク要素がサービス提供できないセッションを認識していないため、第２ＡＭＦネットワーク要素が依然としてネットワークスライス１に対応するセッションに関する情報を保持し、ネットワークスライス１に対応するセッションと関連付けられたＳＭＦネットワーク要素７は、セッションに関するシグナリングを待ち続ける。また、任意選択的に、ネットワークスライス１に対応するセッションと関連付けられたＵＰＦネットワーク要素が、セッションのデータパケットの受信を待ち続ける。長時間経過してもセッションに関するシグナリング受信されないか、または、ＵＥにおけるセッションが非アクティブである旨を知らせる通知を第２ＡＭＦネットワーク要素が受信した場合、例えば第２ＡＭＦネットワーク要素におけるセッションに関連する情報が占有する制御プレーンリソース、ＳＭＦネットワーク要素７におけるシグナリングが占有する制御プレーンリソース、または、ＵＰＦネットワーク要素のセッションが占有するユーザプレーン伝送リソースといった、セッションに対応するネットワークリソースが解放される。その結果、ネットワークリソースの無駄が生じる。
【００９０】
本出願の任意の実施形態における各ネットワークスライスに関する情報は、ネットワークスライス識別子および単一ネットワークスライス選択支援情報（ｓｉｎｇｌｅ  ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、Ｓ−ＮＳＳＡＩ）の片方または両方を含んでよいことに留意されたい。
【００９１】
ネットワークスライス識別子は、（１）から（７）の少なくとも１つを使用して表されてよい。
【００９２】
（１）ネットワークスライスタイプ情報。例えば、ネットワークスライスタイプ情報は、エンハンスドモバイルブロードバンド（ｅｎｈａｎｃｅｄ  ｍｏｂｉｌｅ  ｂｒｏａｄｂａｎｄ、ｅＭＢＢ）、超高信頼低遅延通信（ｕｌｔｒａ−ｒｅｌｉａｂｌｅ  ｌｏｗ  ｌａｔｅｎｃｙ  ｃｏｍｍｕｎｉｃａｔｉｏｎｓ、ＵＲＬＬＣ）、大量マシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）などのネットワークスライスタイプを示してよく、または、任意選択的に、ネットワークスライスタイプ情報は、ＲＡＮ−コアネットワーク（Ｃｏｒｅ  Ｎｅｔｗｏｒｋ、ＣＮ）間ネットワークスライスタイプ、ＲＡＮ側ネットワークスライスタイプ、またはＣＮ側ネットワークスライスタイプを含むエンドツーエンドネットワークスライスタイプを示してよい。
【００９３】
（２）サービスタイプ情報は、具体的サービスに関連している。例えば、サービスタイプ情報は、動画サービス、インターネットオブビークルサービス、または音声サービスなどのサービスの特徴または具体的サービスに関する情報を示してよい。
【００９４】
（３）テナント（ｔｅｎａｎｔ）情報は、例えばテンセントまたはステートグリッドといった、ネットワークスライスを作成または借用するクライアントに関する情報を示すために使用される。
【００９５】
（４）ユーザグループ情報は、例えばユーザレベルといった特徴に基づいて、ユーザをグループ化するよう命令するために使用されるグループ化情報である。
【００９６】
（５）スライスグループ情報は、例えば、端末がアクセス可能なネットワークスライスは全て１つのスライスグループとして分類されてよいといった特徴に基づいてネットワークスライスをグループ化するか、または別の基準にしたがってネットワークスライスをグループ化するよう命令するために使用される。
【００９７】
（６）ネットワークスライスインスタンス情報は、ネットワークスライス用に作成されたインスタンスの識別子および特徴情報を示すために使用される。例えば、識別子をネットワークスライスインスタンスに割り当てて当該ネットワークスライスインスタンスを示してよく、または、ネットワークスライスインスタンスの識別子に基づいて新しい識別子をマッピングして当該ネットワークスライスインスタンスを関連付けてよく、受信側は、識別子が示す具体的なネットワークスライスインスタンスを識別子に基づいて識別できる。
【００９８】
（７）専用コアネットワーク（ｅｄｉｃａｔｅｄ  ｃｏｒｅ  ｎｅｔｗｏｒｋ、ＤＣＮ）識別子は、例えばモノのインターネットに固有のコアネットワークといった、ロングタームエボリューション（Ｌｏｎｇ  Ｔｅｒｍ  Ｅｖｏｌｕｔｉｏｎ、ＬＴＥ）システムまたはエンハンスドＬＴＥ（ｅｎｈａｎｃｅｄ  ＬＴＥ、ｅＬＴＥ）システムの専用コアネットワークを一意的に示すために使用される。任意選択的に、ＤＣＮ識別子とネットワークスライス識別子との間のマッピングが行われてよく、ＤＣＮ識別子へのマッピングに基づいてネットワークスライス識別子を取得でき、ネットワークスライス識別子へのマッピングに基づいてＤＣＮ識別子を取得できる。
【００９９】
Ｓ−ＮＳＳＡＩは、少なくともスライス／サービスタイプ（ｓｌｉｃｅ／ｓｅｒｖｉｃｅ  ｔｙｐｅ、ＳＳＴ）に関する情報を含み、任意選択的に、スライス区別情報（ｓｌｉｃｅ  ｄｉｆｆｅｒｅｎｔｉａｔｏｒ、ＳＤ）をさらに含んでよい。ＳＳＴ情報は、例えばネットワークスライスの特徴またはサービスタイプといった、ネットワークスライスの動作を示すために使用され、ＳＤ情報はＳＳＴの相補的な情報であり、ＳＳＴが複数のネットワークスライスインスタンスを指す場合、ＳＤはただ１つのネットワークスライスインスタンスに対応してよい。
【０１００】
本出願の本実施形態では、各ネットワークスライスは、パラメータ中、自身のネットワークスライスを表す少なくとも１つのタイプの情報を使用することができる。例えば、ネットワークスライスに関する情報は、ネットワークスライスタイプによって表されてよく、ネットワークスライスタイプおよびサービスタイプによって表されてよく、または、サービスタイプおよびテナント情報によって表されてよい、などとなることを理解されたい。このことは、本出願の本実施形態において限定されない。以下では、ネットワークスライスに関する情報の表し方についての詳細は繰り返さない。任意選択的に、ネットワークスライスに関する情報の具体的な符号化方式に対し、制限は課されない。異なるデバイス間のインタフェースメッセージにおいて保持され得る異なるフィールドは、それぞれ異なるネットワークスライスに関する情報を表してよく、または、異なるネットワークスライスに関する情報は、抽象化されたインデックス値によって表されてよく、異なるインデックス値は、それぞれ異なるネットワークスライスに対応してよい。当然ながら、上述の識別子に加えて、別の識別子がさらに使用されてもよい。このことは、本明細書において限定されない。端末、アクセスネットワークデバイス、またはコアネットワークデバイスが複数のネットワークスライスをサポートする場合、端末、アクセスネットワークデバイス、またはコアネットワークデバイスがサポートするネットワークスライスに関する情報は、上述の少なくとも１つの識別子が列挙された形で表されてよいことを理解されたい。
【０１０１】
本出願の本実施形態はさらに、ネットワークスライスをサポートする別の通信システムに適用されてよい。「システム」および「ネットワーク」という用語は、互いに交換可能である。本出願の実施形態において説明するシステムアーキテクチャは、本出願の実施形態における技術的解決手段を説明することを目的とするが、本出願の実施形態において提供する技術的解決手段を限定することは目的としない。ネットワークアーキテクチャが発展するにつれ、本出願の実施形態において提供する技術的解決手段がさらに同様の技術課題に対して適用可能となることは、当業者であれば認識するところであろう。
【０１０２】
以下では、本出願が含む共通の態様に基づいて本出願の実施形態をさらに説明する。
【０１０３】
既存の解決手段では、例えば、上述の２つのシナリオにおいて、新ＡＭＦネットワーク要素がサービス提供できないセッションについては、旧ＡＭＦネットワーク要素は当該セッションに関する情報を適時にリリースできず、ネットワークリソースの無駄が生じる。
【０１０４】
このことを考慮して、本出願の実施形態は、セッション処理方法と、当該方法に基づく第１ＡＭＦネットワーク要素、第２ＡＭＦネットワーク要素、ＳＭＦネットワーク要素、ＵＰＦネットワーク要素、およびシステムを提供する。当該方法は、第１ＡＭＦネットワーク要素が第２ＡＭＦネットワーク要素から第１メッセージを受信する段階であって、第１メッセージは、端末の現行セッションに対応する第２ネットワークスライスに関する情報を含み、セッションは１つのセッションまたは少なくとも２つのセッションを含む、受信する段階と、第１ＡＭＦネットワーク要素が１つのセッションに対応する第２ネットワークスライスまたは少なくとも２つのセッションの全部もしくは一部に対応する第２ネットワークスライスをサポートしないと決定したとき、第１ＡＭＦネットワーク要素が第２ＡＭＦネットワーク要素に第１通知メッセージを送信する段階であって、第１通知メッセージは、第１ＡＭＦネットワーク要素が１つのセッションに対応する第２ネットワークスライスまたは少なくとも２つのセッションの全部もしくは一部に対応する第２ネットワークスライスをサポートしないことを第２ＡＭＦネットワーク要素に通知するために使用する、送信する段階と、第２ＡＭＦネットワーク要素が１つのセッションに対応するネットワークリソースまたは少なくとも２つのセッションの全部もしくは一部に対応するネットワークリソースを解放する段階とを備える。１つのセッションに対応するネットワークリソースまたは少なくとも２つのセッションの全部もしくは一部に対応するネットワークリソースは、第１ネットワークリソースと称される場合がある。例えば、当該方法は、図３に示すものであってよい。
【０１０５】
一例では、第１ＡＭＦネットワーク要素が第２ＡＭＦネットワーク要素に第１通知メッセージを送信する前に、第１ＡＭＦネットワーク要素がサポートする第１ネットワークスライスに関する情報が１つのセッションに対応する第２ネットワークスライスに関する情報を含まないか、または、第１ネットワークスライスに関する情報が少なくとも２つのセッションの全部もしくは一部に対応する第２ネットワークスライスに関する情報を含まないと決定したとき、第１ＡＭＦネットワーク要素はさらに、第１ＡＭＦネットワーク要素が１つのセッションに対応する第２ネットワークスライスまたは少なくとも２つのセッションの全部もしくは一部に対応する第２ネットワークスライスをサポートしないと決定してよく、または、端末に割り当てられた、許可された第３ネットワークスライスに関する情報が１つのセッションに対応する第２ネットワークスライスに関する情報を含まないか、または、端末に割り当てられた第３ネットワークスライスに関する情報が少なくとも２つのセッションの全部もしくは一部に対応する第２ネットワークスライスに関する情報を含まないと決定したとき、第１ＡＭＦネットワーク要素はさらに、第１ＡＭＦネットワーク要素が１つのセッションに対応する第２ネットワークスライスまたは少なくとも２つのセッションの全部もしくは一部に対応する第２ネットワークスライスをサポートしないと決定してよい。
【０１０６】
可能な実装例において、第１メッセージはコンテキスト応答メッセージであってよい。第２ＡＭＦネットワーク要素から第１メッセージを受信する前に、第１ＡＭＦネットワーク要素はさらに、第２ＡＭＦネットワーク要素に端末のコンテキスト取得要求を送信してよい。
【０１０７】
本実装例では、第１メッセージは、モビリティ管理コンテキスト、端末の永続的識別子、セッション識別子、およびセッション識別子と関連付けられたＳＭＦネットワーク要素識別子をさらに含んでよい。この場合、セッションに対応する第２ネットワークスライスに関する情報は、ＳＭＦネットワーク要素がサポートするネットワークスライスに関する情報である。
【０１０８】
本実装例において、第１ＡＭＦネットワーク要素はさらに、第１ＡＭＦネットワーク要素が１つのセッションに対応する第２ネットワークスライスまたは少なくとも２つのセッションの全部もしくは一部に対応する第２ネットワークスライスをサポートすると決定したとき、端末に登録完了メッセージを送信してよい。
【０１０９】
別の可能な実装例において、第１メッセージは、セッション識別子およびセッション識別子と関連付けられたＳＭＦネットワーク要素識別子をさらに含んでよい。この場合、セッションに対応する第２ネットワークスライスに関する情報は、ＳＭＦネットワーク要素がサポートするネットワークスライスに関する情報である。
【０１１０】
本実装例において、第１ＡＭＦネットワーク要素が１つのセッションに対応する第２ネットワークスライスまたは少なくとも２つのセッションの全部もしくは一部に対応する第２ネットワークスライスをサポートすると決定したとき、第１ＡＭＦネットワーク要素はさらに、１つのセッションのためのネットワークリソースまたは少なくとも２つのセッションの全部もしくは一部のためのネットワークリソースを準備してよい。本明細書のネットワークリソースは、第２のネットワークリソースと称されてよい。
【０１１１】
一例では、第１メッセージは、端末の現行セッションのそれぞれのデータネットワーク名（ｄａｔａ  ｎｅｔｗｏｒｋ  ｎａｍｅ、ＤＮＮ）をさらに含んでよい。
【０１１２】
一例では、第１通知メッセージを受信したとき、第２ＡＭＦネットワーク要素は、直ちに第１ネットワークリソースを解放してよく、または、事前に設定した時間が経過した後に第１ネットワークリソースを解放してよい。
【０１１３】
また、第２ＡＭＦネットワーク要素はさらに、１つのセッションのセッション識別子と関連付けられたＳＭＦネットワーク要素または少なくとも２つのセッションの全部もしくは一部のセッション識別子と関連付けられたＳＭＦネットワーク要素に、端末が第２ＡＭＦネットワーク要素のスライスサービスエリア外に移動したことをＳＭＦネットワーク要素に通知するために使用する第２通知メッセージを送信してよく、ＳＭＦネットワーク要素は、端末の、ＳＭＦネットワーク要素と関連付けられたセッションが占有するネットワークリソースを解放する。端末のＳＭＦネットワーク要素と関連付けられたセッションが占有するネットワークリソースは、第３ネットワークリソースと称されてよい。
【０１１４】
また、ＳＭＦネットワーク要素はさらに、セッション識別子と関連付けられたＵＰＦネットワーク要素に、端末が第２ＡＭＦネットワーク要素のスライスサービスエリア外に移動したことをＵＰＦネットワーク要素に通知するために使用する第３通知メッセージを送信してよく、ＵＰＦネットワーク要素は、端末の、ＵＰＦネットワーク要素と関連付けられたセッションが占有するネットワークリソースを解放する。端末のＵＰＦネットワーク要素と関連付けられたセッションが占有するネットワークリソースは、第４のネットワークリソースと称されてよい。
【０１１５】
本出願の本実施形態では、第１ＡＭＦネットワーク要素が端末の現行セッションに対応するネットワークスライスをサポートすると決定したとき、第１ＡＭＦネットワーク要素は第２ＡＭＦネットワーク要素に第１通知メッセージを送信でき、それにより、第２ＡＭＦネットワーク要素は適時に第１ネットワークリソースを解放できる。その結果、ネットワークリソースの無駄が削減される。
【０１１６】
以下ではさらに、図４、図５Ａ、および図５Ｂに関連して、図３に示す方法を詳細に説明する。
【０１１７】
図２Ａのシナリオ図に基づいて、図４を参照すると、図４は、本出願の一実施形態に係るセッション処理方法の概略フロー図である。図４に示すように、当該方法は、第１ＡＭＦネットワーク要素、第２ＡＭＦネットワーク要素、端末、ＲＡＮ、およびＳＭＦネットワーク要素の間でのインタラクションを通して実装される。端末は接続状態にあり、第２ＡＭＦネットワーク要素は端末にサービス提供する。端末が接続状態からアイドル状態に変更された後、ＲＡＮは、端末のネットワークへの再登録中に、第１ＡＭＦネットワーク要素が端末にサービス提供すると決定する。第１ＡＭＦネットワーク要素と第２ＡＭＦネットワーク要素とは、異なるＡＭＦネットワーク要素である。第１ＡＭＦネットワーク要素によってサポートされないネットワークスライスに対応するセッションについては、第２ＡＭＦネットワーク要素と、第２ＡＭＦネットワーク要素が当該セッション用に選択したＳＭＦネットワーク要素とが、対応する制御プレーンリソースを依然として維持する。
【０１１８】
４０１．端末が、登録要求と、端末の現行セッションに対応するネットワークスライスに関する情報とを、無線リソース制御シグナリングを使用してＲＡＮに送信する。
【０１１９】
無線リソース制御（ｒａｄｉｏ  ｒｅｓｏｕｒｃｅ  ｃｏｎｔｒｏｌ、ＲＲＣ）シグナリングは、登録要求と、端末の現行セッションに対応するネットワークスライスに関する情報とを含んでよい。例えば、端末の現行セッションに対応するネットワークスライスに関する情報は、Ｓ−ＮＳＳＡＩである。端末は、ＲＲＣシグナリングを使用してＲＡＮに登録要求を送信してネットワークに登録し、ＲＲＣシグナリングにネットワークスライスに関する情報を追加する。これにより、ＲＡＮは、端末のために、端末にサービス提供する第１ＡＭＦネットワーク要素を決定する。
【０１２０】
任意選択的に、端末の現行セッションは、第２ＡＭＦネットワーク要素において以前確立したセッションと同一であっても、異なっていてもよい。このことは、本出願の本実施形態において限定されない。
【０１２１】
それに応じて、ＲＡＮは、端末が送信したＲＲＣシグナリング内の、登録要求と、端末の現行セッションに対応するネットワークスライスに関する情報とを受信する。
【０１２２】
４０２．ＲＡＮが、端末にサービス提供する第１ＡＭＦネットワーク要素を決定する。
【０１２３】
ＲＡＮは、ＲＲＣシグナリングに含まれるネットワークスライスに関する情報に基づいて、少なくとも１つのＡＭＦネットワーク要素からＡＭＦネットワーク要素を選択し、選択したＡＭＦネットワーク要素を第１ＡＭＦネットワーク要素として決定する。
【０１２４】
第１の任意選択的な方式では、ＲＡＮは、第１ＡＭＦネットワーク要素として、少なくとも１つのＡＭＦネットワーク要素のいずれか１つを選択してよい。
【０１２５】
あるいは、第２の任意選択的な方式では、ＲＡＮは、第１ＡＭＦネットワーク要素として、現行セッションの全部もしくは一部のセッションに対応するネットワークスライスをサポートするＡＭＦネットワーク要素を、少なくとも１つのＡＭＦネットワーク要素から選択してよい。この場合、ＲＡＮは、ネットワークスライスが第１ＡＭＦネットワーク要素によってサポートされると決定した後、端末の現行セッション用の第１ＡＭＦネットワーク要素を選択する。これにより、第１ＡＭＦネットワーク要素において端末のセッションの確立に成功する可能性を高めることができる。
【０１２６】
任意選択的に、ＲＡＮは、少なくとも１つのＡＭＦネットワーク要素のそれぞれがサポートするネットワークスライスに関する情報を決定してよい。それにより、第１ＡＭＦネットワーク要素として、現行セッションの全部もしくは一部のセッションに対応するネットワークスライスをサポートするＡＭＦネットワーク要素を、少なくとも１つのＡＭＦネットワーク要素から選択する。
【０１２７】
例えば、端末の現行セッションは、第１セッション、第２セッション、および第３セッションを含み、第１セッションは第１ネットワークスライスに対応し、第２セッションは第２ネットワークスライスに対応し、第３セッションは第３ネットワークスライスに対応する。少なくとも１つのＡＭＦネットワーク要素が第１ネットワークスライス、第２ネットワークスライス、および第３ネットワークスライスをサポートするＡＭＦネットワーク要素を含む場合、ＲＡＮは、第１ＡＭＦネットワーク要素として、その３つのネットワークスライスをサポート可能なＡＭＦネットワーク要素を選択するか、または、少なくとも１つのＡＭＦネットワーク要素が当該ネットワークスライスのうち最大でいずれか２つをサポート可能なＡＭＦネットワーク要素を含む場合、ＲＡＮは、第１ＡＭＦネットワーク要素として、当該２つのネットワークスライスをサポート可能なＡＭＦネットワーク要素を選択する。他の場合は列挙しない。少なくとも１つのＡＭＦネットワーク要素がサポートするネットワークスライスおよび端末の現行セッションに対応するネットワークスライスに基づいて、ＲＡＮが第１ＡＭＦネットワーク要素を決定できることがわかる。
【０１２８】
４０３．ＲＡＮが、第１ＡＭＦネットワーク要素に登録要求を送信する。
【０１２９】
具体的には、ＲＡＮは、第１ＡＭＦネットワーク要素に登録要求を送信する。当該要求は、端末が登録要求を送信する前かつ端末が接続状態のときに、端末にサービス提供する第２ＡＭＦネットワーク要素の識別子を保持している。このようにして、第１ＡＭＦネットワーク要素は、第２ＡＭＦネットワーク要素の識別子に基づいて、第２ＡＭＦネットワーク要素との通信を実装できる。
【０１３０】
それに応じて、第１ＡＭＦネットワーク要素は、ＲＡＮから登録要求を受信する。
【０１３１】
４０４．第１ＡＭＦネットワーク要素が、第２ＡＭＦネットワーク要素に情報取得要求を送信する。
【０１３２】
具体的には、第１ＡＭＦネットワーク要素は、第２ＡＭＦネットワーク要素の識別子に基づいて、第２ＡＭＦネットワーク要素に情報取得要求を送信する。例えば、情報取得要求は、コンテキスト取得要求であってよい。あるいは、情報取得要求はネットワークスライス情報取得要求である。当該取得要求を使用して、端末の現行セッションに対応する第２ネットワークスライスに関する情報が取得される。
【０１３３】
また、情報取得要求が端末の識別子を保持することにより、第２ＡＭＦネットワーク要素は、端末のセッションに対応する第２ネットワークスライスに関する情報を端末の識別子に基づいて取得する。
【０１３４】
それに応じて、第２ＡＭＦネットワーク要素は、第１ＡＭＦネットワーク要素が送信した情報取得要求を受信する。
【０１３５】
４０５．第２ＡＭＦネットワーク要素が、端末の現行セッションに対応する第２ネットワークスライスに関する情報を含む第１メッセージを第１ＡＭＦネットワーク要素に送信する。
【０１３６】
任意選択的に、情報取得要求がコンテキスト取得要求である場合、第１メッセージは、モビリティ管理コンテキスト、端末の永続的識別子、セッション識別子、およびセッション識別子と関連付けられたＳＭＦネットワーク要素識別子をさらに含んでよい。第２ＡＭＦネットワーク要素は、端末の現行セッションおよび当該セッションに対応するモビリティ管理コンテキストを端末の永続的識別子およびセッション識別子に基づいて決定し、さらに、当該セッションに対応する第２ネットワークスライスに関する情報をセッション識別子と関連付けられたＳＭＦネットワーク要素識別子に基づいて決定する。セッションに対応する第２ネットワークスライスに関する情報は、ＳＭＦネットワーク要素がサポートするネットワークスライスに関する情報である。
【０１３７】
端末のセッション用のＳＭＦネットワーク要素を選択した後、第２ＡＭＦネットワーク要素は、セッション識別子とセッション識別子に関連付けられたＳＭＦネットワーク要素識別子とを関連付けて記憶する。このようにして、セッションに関するデータパケットを受信したとき、第２ＡＭＦネットワーク要素は、対応するＳＭＦネットワーク要素識別子によって示されるＳＭＦネットワーク要素を使用して伝送を行い、ＳＭＦネットワーク要素がサポートする第２ネットワークスライスに関する情報を記憶し、それにより、第２ＡＭＦネットワーク要素は、セッションが必要とするネットワークスライスに関する情報を決定できる。
【０１３８】
任意選択的に、第１メッセージが端末の現行セッションのそれぞれのデータネットワーク名（ｄａｔａ  ｎｅｔｗｏｒｋ  ｎａｍｅ、ＤＮＮ）をさらに含み、それにより、サポートされるセッションがある場合、第１ＡＭＦネットワーク要素は、ＤＮＮと、当該セッションに対応するサポートされる第２ネットワークスライスに関する情報とに基づいてＳＭＦネットワーク要素を選択する。
【０１３９】
それに応じて、第１ＡＭＦネットワーク要素は、第２ＡＭＦネットワーク要素が送信した第１メッセージを受信する。
【０１４０】
４０６．第１ＡＭＦネットワーク要素が１つのセッションに対応する第２ネットワークスライスまたは少なくとも２つのセッションの全部もしくは一部に対応する第２ネットワークスライスをサポートするか否かを、第１ＡＭＦネットワーク要素が判断する。
【０１４１】
端末の現行セッションは、１つのセッションまたは少なくとも２つのセッションを含む。端末の現行セッションが１つのセッションを含むとき、第１ＡＭＦネットワーク要素は、第１ＡＭＦネットワーク要素が１つのセッションに対応する第２ネットワークスライスをサポートするか否かを判断する。端末の現行セッションが少なくとも２つのセッションを含むとき、第１ＡＭＦネットワーク要素は、第１ＡＭＦネットワーク要素が少なくとも２つのセッションの全部もしくは一部に対応する第２ネットワークスライスをサポートするか否かを判断する。
【０１４２】
第１ＡＭＦネットワーク要素が１つのセッションに対応する第２ネットワークスライスまたは少なくとも２つのセッションの全部に対応する第２ネットワークスライスをサポートすると決定したとき、第１ＡＭＦネットワーク要素は、段階４０７の実行を省略し、第１ＡＭＦネットワーク要素が端末に登録受付メッセージを送信する段階４０８を行う。
【０１４３】
第１ＡＭＦネットワーク要素が少なくとも２つのセッションの一部に対応する第２ネットワークスライスをサポートすると第１ＡＭＦネットワーク要素が決定した場合、本明細書では、サポートされる一部のセッションを第１部セッションとして決定し、サポートされない他のセッションを第２部セッションとして決定する。この場合、第１ＡＭＦネットワーク要素は、第２部セッションに対応する第２ネットワークスライスがサポートされない旨を知らせる第１通知メッセージを第２ＡＭＦネットワーク要素に送信する段階４０７を行う。加えて、第１ＡＭＦネットワーク要素は、端末に登録受付メッセージを送信する段階４０８を行う。
【０１４４】
第１ＡＭＦネットワーク要素が１つのセッションに対応する第２ネットワークスライスまたは少なくとも２つのセッションの全部に対応する第２ネットワークスライスをサポートしないと決定したとき、第１ＡＭＦネットワーク要素は、全部のセッションに対応する第２ネットワークスライスがサポートされない旨を知らせる第１通知メッセージを第２ＡＭＦネットワーク要素に送信する段階４０７を行い、段階４０８の実行を省略する。
【０１４５】
また、第１ＡＭＦネットワーク要素が任意のセッションに対応する第２ネットワークスライスをサポートするか否かを第１ＡＭＦネットワーク要素が判断する段階は、具体的に、第１ネットワークスライスに関する情報がセッションに対応する第２ネットワークスライスに関する情報を含むか否かを、第１ＡＭＦネットワーク要素がサポートする第１ネットワークスライスに関する情報に基づいて第１ＡＭＦネットワーク要素が判断する段階である。第１ネットワークスライスに関する情報が第２ネットワークスライスに関する情報を含まないとき、それは第１ＡＭＦネットワーク要素がセッションに対応する第２ネットワークスライスをサポートしないことを示す。第１ネットワークスライスに関する情報が第２ネットワークスライスに関する情報を含むとき、端末に割り当てられた、許可された第３ネットワークスライスに関する情報を第１ＡＭＦネットワーク要素が取得し、許可された第３ネットワークスライスに関する情報がセッションに対応する第２ネットワークスライスに関する情報を含むか否かを判断する。許可された第３ネットワークスライスに関する情報がセッションに対応する第２ネットワークスライスに関する情報を含まない場合、それは第１ＡＭＦネットワーク要素が当該セッションに対応する第２ネットワークスライスをサポートしないことを示す。許可された第３ネットワークスライスに関する情報がセッションに対応する第２ネットワークスライスに関する情報を含む場合、それは第１ＡＭＦネットワーク要素が当該セッションに対応するネットワークスライスをサポートすることを示す。例えば、第１ＡＭＦネットワーク要素は、端末の許可された第３ネットワークスライスに関する情報を、ネットワークスライス選択機能（ｎｅｔｗｏｒｋ  ｓｌｉｃｅ  ｓｅｌｅｃｔｉｏｎ  ｆｕｎｃｔｉｏｎ、ＮＳＳＦ）ネットワーク要素から取得する。任意選択的に、ＡＭＦネットワーク要素が異なる場合、それらが取得する端末の許可された第３ネットワークスライスに関する情報は、同一のものであっても異なるものであってもよい。このことは、本出願の本実施形態において限定されない。本出願の本実施形態では、端末に割り当てられた、許可された第３ネットワークスライスに関する取得した情報は、第１ＡＭＦネットワーク要素に固有のものである。
【０１４６】
言い換えれば、第１ＡＭＦネットワーク要素は、第１ネットワークスライスに関する情報がセッションに対応する第２ネットワークスライスに関する情報を含むか否かを、現在第１ＡＭＦネットワーク要素がサポートする第１ネットワークスライスに関する情報に基づいて判断して、第１ＡＭＦネットワーク要素がネットワークスライスをデプロイすることが原因で第１ＡＭＦネットワーク要素が第２ネットワークスライスをサポートしなくなるか否かを判断し、次に、許可された第３ネットワークスライスに関する情報がセッションに対応する第２ネットワークスライスに関する情報を含むか否かを判断して、ポリシが原因で第１ＡＭＦネットワーク要素が第２ネットワークスライスをサポートしなくなるか否かを判断する。
【０１４７】
例えば、第１ＡＭＦネットワーク要素がサポートする第１ネットワークスライスに関する情報は、ネットワークスライスＡ１、ネットワークスライスＡ２、およびネットワークスライスＡ３を含み、端末の現行セッションに対応する第２ネットワークスライスに関する情報は、第１セッションに対応するネットワークスライスＡ１、第２セッションに対応するネットワークスライスＡ３、および第３セッションに対応するネットワークスライスＡ４である。ゆえに、第１ＡＭＦネットワーク要素がサポートするネットワークスライスに関する情報はネットワークスライスＡ１およびネットワークスライスＡ３を含むので、第１ＡＭＦネットワーク要素は、第１セッションに対応するネットワークスライスＡ１および第２セッションに対応するネットワークスライスＡ３をサポートする。
【０１４８】
４０７．第１ＡＭＦネットワーク要素が１つのセッションに対応する第２ネットワークスライスまたは少なくとも２つのセッションの全部もしくは一部に対応する第２ネットワークスライスをサポートしないと決定したとき、第１ＡＭＦネットワーク要素が、第２ＡＭＦネットワーク要素に第１通知メッセージを送信する。
【０１４９】
第１ＡＭＦネットワーク要素が１つのセッションに対応する第２ネットワークスライスまたは少なくとも２つのセッションの全部もしくは一部に対応する第２ネットワークスライスをサポートしないことを第２ＡＭＦネットワーク要素に通知するべく第１通知メッセージを使用することにより、第２ＡＭＦネットワーク要素は、第１ＡＭＦネットワーク要素がサポートしないセッションに対応する第２ネットワークスライスを決定できる。
【０１５０】
任意選択的に、第１ＡＭＦネットワーク要素が１つのセッションに対応する第２ネットワークスライスまたは少なくとも２つのセッションの全部もしくは一部に対応する第２ネットワークスライスをサポートしないと第１ＡＭＦネットワーク要素が決定したとき、第１通知メッセージは、例えばｕｎｓｕｐｐｏｒｔｅｄ  ｓｌｉｃｅといった指示情報をさらに保持してよい。例えば、第１通知メッセージは、指示情報とサポートされないセッションの識別子とを保持するか、または、指示情報とサポートされないセッションの識別子に関連付けられたＳＭＦネットワーク要素識別子とを保持するか、または、指示情報と、サポートされないセッションの識別子と、サポートされないセッションの識別子に関連付けられたＳＭＦネットワーク要素識別子とを保持する。
【０１５１】
任意選択的に、第１通知メッセージは、情報要素（ｉｎｆｏｒｍａｔｉｏｎ  ｅｌｅｍｅｎｔ、ＩＥ）、フラグ（ｆｌａｇ）、または原因（ｃａｕｓｅ）値等を使用して示されてよい。このことは、本出願の本実施形態において限定されない。例えば、第１通知メッセージは、事前に設定した第１原因値であり、第１原因値は、第１ＡＭＦネットワーク要素がセッションに対応するネットワークスライスをサポートしないことを示すために使用する。
【０１５２】
例えば、端末の現行セッションが第１セッション、第２セッション、および第３セッションを含むと仮定する。第１ＡＭＦネットワーク要素は、第１セッションおよび第２セッションをサービス提供し、第１ＡＭＦネットワーク要素が第３セッションに対応するネットワークスライスをサポートしないと決定してよい。第１ＡＭＦネットワーク要素が第２ＡＭＦネットワーク要素に送信した第１通知メッセージは、第３セッションの識別子および対応する第１原因値を含む。
【０１５３】
任意選択的に、第１ＡＭＦネットワーク要素が少なくとも２つのセッションの一部に対応する第２ネットワークスライスをサポートすると第１ＡＭＦネットワーク要素が決定し、本明細書では、サポートされるセッションを第１部セッションとして決定し、サポートされない他のセッションを第２部セッションとして決定する。可能な解決手段において、第１通知メッセージは、第１部セッションのセッション識別子、および第１部セッションのセッション識別子と関連付けられたＳＭＦネットワーク要素識別子の少なくとも１つを含んでよい。任意選択的に、例えばｓｕｐｐｏｒｔｅｄ  ｓｌｉｃｅといった指示情報を、代替的に保持してよい。第２ＡＭＦネットワーク要素は端末の複数の現行セッションのセッション識別子を認識しているので、第２ＡＭＦネットワーク要素は、第２ネットワークスライスがサポートされる旨を知らせる第１通知メッセージを使用して、第１ＡＭＦネットワーク要素がサポートしない第２ネットワークスライスを決定することもできる。別の可能な解決手段では、第１通知メッセージは第２部セッションのセッション識別子、および第２部セッションのセッション識別子と関連付けられたＳＭＦネットワーク要素識別子の少なくとも１つを含んでよい。任意選択的に、例えばｕｎｓｕｐｐｏｒｔｅｄ  ｓｌｉｃｅといった指示情報を、代替的に保持してよい。さらに別の可能な解決手段では、第１通知メッセージは、サポートされる第１部セッションのセッション識別子、および当該第１部セッションのセッション識別子と関連付けられたＳＭＦネットワーク要素識別子の少なくとも１つを含んでよく、サポートしない第２部セッションのセッション識別子、および当該第２部セッションのセッション識別子と関連付けられたＳＭＦネットワーク要素識別子の少なくとも１つをさらに含んでよい。それにより、第２ＡＭＦネットワーク要素は、サポートされる第２ネットワークスライスとサポートされない第２ネットワークスライスとを直接決定する。
【０１５４】
それに応じて、第２ＡＭＦネットワーク要素は、第１ＡＭＦネットワーク要素が送信した第１通知メッセージを受信する。
【０１５５】
４０８．第１ＡＭＦネットワーク要素が、端末に登録受付メッセージを送信する。
【０１５６】
任意選択的に、第１ＡＭＦネットワーク要素は、端末に一時識別子を割り当て、登録受付メッセージに当該新しい一時識別子を追加して、端末に当該新しい一時識別子を送信してよい。
【０１５７】
任意選択的に、第１ＡＭＦネットワーク要素は、段階４０８を行う前に、さらに端末に対してセキュリティ認証を行ってよい。セキュリティ認証は、端末認証、マルチユーザ認証、マルチユーザ使用グラント、およびポリシ認証を含み、さらに、端末のシグナリングプレーンメッセージに対する暗号化および完全性保護を含む。
【０１５８】
４０９．端末が、第１ＡＭＦネットワーク要素に登録完了メッセージを送信する。
【０１５９】
具体的には、登録受付メッセージが第１ＡＭＦネットワーク要素によって端末に割り当てられた一時識別子を保持するとき、端末は、第１ＡＭＦネットワーク要素に登録完了メッセージを送信する。
【０１６０】
本出願の本実施形態では、第１ＡＭＦネットワーク要素または第２ＡＭＦネットワーク要素と端末との間の通信データは、ＲＡＮによって転送されることに留意されたい。
【０１６１】
４１０．第２ＡＭＦネットワーク要素が、１つのセッションに対応する第１ネットワークリソースまたは少なくとも２つのセッションの全部もしくは一部に対応する第１ネットワークリソースを解放する。
【０１６２】
具体的には、第１ＡＭＦネットワーク要素が１つのセッションに対応する第２ネットワークスライスまたは少なくとも２つのセッションの全部もしくは一部に対応する第２ネットワークスライスをサポートしないと第２ＡＭＦネットワーク要素が決定する段階４０７の後に、第２ＡＭＦネットワーク要素は、サポートされないセッションに対応する第１ネットワークリソースを解放する。
【０１６３】
任意のサポートされないセッションについて、第２ＡＭＦネットワーク要素が解放した第１ネットワークリソースは、当該セッションに対応する制御プレーンの記憶リソースを含む。例えば、第２ＡＭＦネットワーク要素はセッションのセッション識別子、セッション識別子と関連付けられたＳＭＦネットワーク要素識別子、およびＳＭＦネットワーク要素に対応するネットワークスライスに関する情報等を記憶し、受信した第１通知メッセージに基づいて第１ネットワークリソースを解放し、それによりネットワークリソースの無駄が削減される。
【０１６４】
任意選択的な方式では、第２ＡＭＦネットワーク要素が第１通知メッセージを受信したとき、第２ＡＭＦネットワーク要素は、サポートされないセッションに対応する第１ネットワークリソースを直ちに解放する。あるいは、別の任意選択的な方式では、第２ＡＭＦネットワーク要素が第１通知メッセージを受信したとき、第２ＡＭＦネットワーク要素は、サポートされないセッションに対応する第１ネットワークリソースを、事前に設定した時間が経過した後に解放する。例えば、第２ＡＭＦネットワーク要素はタイマを開始し、タイマの計時が終了した後に全部もしくは一部のセッションに対応する第１ネットワークリソースを解放して、端末の「ピンポン効果」を回避し、具体的には、端末位置が頻繁に変更されることを防ぎ、その結果、コアネットワークのシグナリング負荷が増えないようにする。
【０１６５】
例えば、タイマの計時が終了していないときに端末が第１ＡＭＦネットワーク要素のサービスエリアから第２ＡＭＦネットワーク要素のサービスエリアへ移動する場合、第２ＡＭＦネットワーク要素は、端末の以前サポートされなかったセッションに対応する第１ネットワークリソースを再使用できる。このように、タイマを使用することで、第２ＡＭＦネットワーク要素がサポートされないセッションを再確立すること、および必要なネットワークリソースを割り当てることを防ぎ、その結果、コアネットワークのシグナリングの無駄が削減される。
【０１６６】
別の例の場合、端末は、タイマの計時過程中に第１ＡＭＦネットワーク要素のサービスエリアへと移動し、タイマの計時が終了した後に、サポートされないセッションに対応する第１ネットワークリソースを解放する。
【０１６７】
第２ＡＭＦネットワーク要素がサポートされないセッションに対応する第１ネットワークリソースを解放したとき、第２ＡＭＦネットワーク要素は段階４１１を行って、サポートされないセッションを、各セッションと関連付けられたＳＭＦネットワーク要素に通知する。
【０１６８】
４１１．１つのセッションに対応する第１ネットワークリソースまたは少なくとも２つのセッションの全部もしくは一部に対応する第１ネットワークリソースを解放したとき、第２ＡＭＦネットワーク要素が、１つのセッションのセッション識別子と関連付けられたＳＭＦネットワーク要素または少なくとも２つのセッションの全部もしくは一部のセッション識別子と関連付けられたＳＭＦネットワーク要素に第２通知メッセージを送信する。
【０１６９】
第２通知メッセージは、端末が第２ＡＭＦネットワーク要素のスライスサービスエリア外に移動したことをＳＭＦネットワーク要素に通知するために使用する。具体的には、第１ネットワークリソースの解放を決定したとき、第２ＡＭＦネットワーク要素は、第３ネットワークリソースを解放するよう、通知メッセージを使用してＳＭＦネットワーク要素に命令して、ＳＭＦネットワーク要素側でのネットワークリソースの無駄を削減する。
【０１７０】
任意選択的に、第２ＡＭＦネットワーク要素は、セッションのためにセッションサービスを提供するＳＭＦネットワーク要素を、セッション識別子とＳＭＦネットワーク要素識別子との間の対応関係に基づいて決定してよい。また、第２ＡＭＦネットワーク要素は、対応するＳＭＦネットワーク要素に第２通知メッセージを送信し、セッションのセッション識別子を保持してよく、それにより、ＳＭＦネットワーク要素は、セッションが占有する第３ネットワークリソースを解放する。例えば、第２ＡＭＦネットワーク要素が端末のために以前サービス提供したセッションは、第１セッションおよび第２セッションを含み、第１セッションは、第１ＳＭＦネットワーク要素に対応し、第２セッションは、第２ＳＭＦネットワーク要素に対応する。ゆえに、端末が第２ＡＭＦネットワーク要素のスライスサービスエリア外に移動したとき、第２ＡＭＦネットワーク要素は、第１ＳＭＦネットワーク要素および第２ＳＭＦネットワーク要素に第２通知メッセージを送信する。第１ＳＭＦネットワーク要素に送信された第２通知メッセージは、第１セッションのセッション識別子を保持し、第２ＳＭＦネットワーク要素に送信された第２通知メッセージは、第２セッションのセッション識別子を保持する。これにより、ＳＭＦネットワーク要素はそれぞれ第３ネットワークリソースを解放し、その結果、全てのＳＭＦネットワーク要素側でのネットワークリソースの無駄が削減される。
【０１７１】
それに応じて、ＳＭＦネットワーク要素は、第２ＡＭＦネットワーク要素から第２通知メッセージを受信する。
【０１７２】
４１２．ＳＭＦネットワーク要素が、端末の、ＳＭＦネットワーク要素と関連付けられたセッションが占有する第３ネットワークリソースを解放する。
【０１７３】
具体的には、第２通知メッセージを受信したとき、ＳＭＦネットワーク要素は、端末のＳＭＦネットワーク要素と関連付けられたセッションが占有する第３ネットワークリソースを解放して、ＳＭＦネットワーク要素側でのネットワークリソースの無駄を削減する。
【０１７４】
ここでＳＭＦネットワーク要素は、第２ＡＭＦネットワーク要素によって通知される少なくとも１つのＳＭＦネットワーク要素のいずれか１つであることに留意されたい。第２ＡＭＦネットワーク要素によって通知される別のＳＭＦネットワーク要素は、段階４１１における解決手段に係る対応するネットワークリソースを解放してよい。
【０１７５】
ＳＭＦネットワーク要素によって解放された第３ネットワークリソースは、ＳＭＦネットワーク要素識別子に対応するセッション識別子が示すセッションコンテキストを含む。セッションコンテキストは、ＤＮＮおよびＱｏＳフロー（ＱｏＳ  Ｆｌｏｗ）などの情報を含み、伝送リソース（例えば、トランスポート層アドレスまたはトンネルアドレス）または同様のものを含んでよい。第２通知メッセージを受信することによって第３ネットワークリソースが解放されて、第３ネットワークリソースの無駄が削減される。
【０１７６】
任意選択的な方式では、ＳＭＦネットワーク要素は、第２通知メッセージを受信したとき、ＳＭＦネットワーク要素と関連付けられたセッションが占有する第３ネットワークリソースを直ちに解放する。
【０１７７】
本出願の本実施形態では、第１ＡＭＦネットワーク要素が端末のセッションに対応する第２ネットワークスライスをサポートしない旨を知らせる第１通知メッセージを第１ＡＭＦネットワーク要素が第２ＡＭＦネットワーク要素に送信し、それにより、第２ＡＭＦネットワーク要素が第１通知メッセージを受信した後、第２ＡＭＦネットワーク要素はセッションが占有するネットワークリソースを解放でき、その結果、ネットワークリソースの無駄が削減される。加えて、端末が第２ＡＭＦネットワーク要素のサービスエリア外に移動したことを第２ＡＭＦネットワーク要素がＳＭＦネットワーク要素に通知することにより、ＳＭＦネットワーク要素はセッションが占有するネットワークリソースを解放でき、その結果、ネットワークリソースの無駄がさらに削減される。
【０１７８】
図２Ｂのシナリオ図に基づいて、図５Ａおよび図５Ｂを参照すると、図５Ａおよび図５Ｂは、本出願の一実施形態に係るセッション処理方法の概略フロー図である。図５Ａおよび図５Ｂに示すように、当該方法は、第１ＡＭＦネットワーク要素、第２ＡＭＦネットワーク要素、端末、ＲＡＮ、ＮＲＦネットワーク要素、ＳＭＦネットワーク要素、およびＵＰＦネットワーク要素の間のインタラクションを通して実装される。端末がＡＭＦネットワーク要素を変更する必要があるシナリオでは、第２ＡＭＦネットワーク要素は、変更前に端末にサービス提供するＡＭＦネットワーク要素であり、第１ＡＭＦネットワーク要素は、ＮＲＦネットワーク要素が決定する、端末の変更先であるＡＭＦネットワーク要素である。第１ＡＭＦネットワーク要素と第２ＡＭＦネットワーク要素とは、異なるＡＭＦネットワーク要素である。第１ＡＭＦネットワーク要素がサポートしないネットワークスライスに対応するセッションについては、第２ＡＭＦネットワーク要素と、第２ＡＭＦネットワーク要素が当該セッション用に選択したＳＭＦネットワーク要素とが依然として、対応する制御プレーンリソースを維持し、第２ＡＭＦネットワーク要素が当該セッション用に選択したＵＰＦネットワーク要素が依然として、対応するユーザプレーンリソースを維持する。
【０１７９】
５０１．ＲＡＮが、第２ＡＭＦネットワーク要素に端末の変更要求を送信する。
【０１８０】
具体的には、端末の位置変化または負荷分散等により端末のためのＡＭＦネットワーク要素を変更する必要がある場合、ＲＡＮは、第２ＡＭＦネットワーク要素に端末の変更要求を送信する。
【０１８１】
５０２．第２ＡＭＦネットワーク要素が、ＮＲＦネットワーク要素にネットワーク要素発見要求を送信する。
【０１８２】
例えば、ネットワーク要素発見要求は、ＮＦ  ｄｉｓｃｏｖｅｒｙ  ｒｅｑｕｅｓｔである。ネットワーク要素発見要求が端末の識別子を含むことにより、ＮＲＦネットワーク要素は、端末にサービス提供するＡＭＦネットワーク要素を決定する。
【０１８３】
それに応じて、ＮＲＦネットワーク要素は第２ＡＭＦネットワーク要素が送信したネットワーク要素発見要求を受信し、端末にサービス提供する第１ＡＭＦネットワーク要素を決定する。
【０１８４】
第１の任意選択的な方式では、ＮＲＦネットワーク要素は、第１ＡＭＦネットワーク要素として、少なくとも１つのＡＭＦネットワーク要素のいずれか１つを選択してよい。
【０１８５】
あるいは、第２の任意選択的な方式では、ＮＲＦネットワーク要素は、第１ＡＭＦネットワーク要素として、現行セッションの全部もしくは一部のセッションに対応するネットワークスライスをサポートするＡＭＦネットワーク要素を、少なくとも１つのＡＭＦネットワーク要素から選択してよい。この場合、端末の現行セッション用に第１ＡＭＦネットワーク要素を選択する前に、当該ＡＭＦネットワーク要素がサポートするネットワークスライスが決定される。これにより、第１ＡＭＦネットワーク要素が端末のセッションの確立に成功する可能性を高めることができる。
【０１８６】
任意選択的に、ＮＲＦネットワーク要素は、少なくとも１つのＡＭＦネットワーク要素のそれぞれがサポートするネットワークスライスに関する情報を決定してよい。それにより、第１ＡＭＦネットワーク要素として、現行セッションの全部もしくは一部のセッションに対応するネットワークスライスをサポートするＡＭＦネットワーク要素を、少なくとも１つのＡＭＦネットワーク要素から選択する。
【０１８７】
５０３．ＮＲＦネットワーク要素が、端末にサービス提供する決定された第１ＡＭＦネットワーク要素の識別子を第２ＡＭＦネットワーク要素に送信する。
【０１８８】
それに応じて、第２ＡＭＦネットワーク要素は、ＮＲＦネットワーク要素が送信した第１ＡＭＦネットワーク要素の識別子を受信する。
【０１８９】
任意選択的に、第１ＡＭＦネットワーク要素の識別子は、ネットワーク要素発見応答おいて保持される。例えば、ネットワーク要素発見応答は、ＮＦ  ｄｉｓｃｏｖｅｒｙ  ｒｅｓｐｏｎｓｅである。
【０１９０】
５０４．第２ＡＭＦネットワーク要素が、端末の現行セッションに対応する第２ネットワークスライスに関する情報を含む第１メッセージを第１ＡＭＦネットワーク要素に送信する。
【０１９１】
具体的には、第２ＡＭＦネットワーク要素は、ＮＲＦネットワーク要素が送信した第１ＡＭＦネットワーク要素の識別子に基づいて、第１ＡＭＦネットワーク要素に第１メッセージを送信する。
【０１９２】
任意選択的に、第１メッセージは、例えばｒｅｌｏｃａｔｉｏｎ  ｒｅｑｕｅｓｔといったリダイレクト要求であってよい。
【０１９３】
任意選択的に、第１メッセージは、セッション識別子と、当該セッション識別子と関連付けられたＳＭＦネットワーク要素識別子とをさらに含む。第２ＡＭＦネットワーク要素は、端末の現行セッションをセッション識別子に基づいて決定し、さらに、当該セッションに対応する第２ネットワークスライスに関する情報をセッション識別子と関連付けられたＳＭＦネットワーク要素識別子に基づいて決定する。当該セッションに対応する第２ネットワークスライスに関する情報は、ＳＭＦネットワーク要素がサポートするネットワークスライスに関する情報である。
【０１９４】
端末のセッション用にＳＭＦネットワーク要素を選択した後、第２ＡＭＦネットワーク要素は、セッション識別子とセッション識別子に関連付けられたＳＭＦネットワーク要素識別子とを関連付けて記憶する。このようにして、セッションに関するデータパケットを受信したとき、第２ＡＭＦネットワーク要素は、対応するＳＭＦネットワーク要素識別子によって示されるＳＭＦネットワーク要素を使用して伝送を行い、ＳＭＦネットワーク要素がサポートする第２ネットワークスライスに関する情報を記憶でき、それにより、第２ＡＭＦネットワーク要素は、セッションが必要とするネットワークスライスに関する情報を決定する。
【０１９５】
任意選択的に、第１メッセージは端末の現行セッションのそれぞれのＤＮＮをさらに含み、それにより、サポートされるセッションがある場合、第１ＡＭＦネットワーク要素は、ＤＮＮと、当該セッションに対応するサポートされる第２ネットワークスライスに関する情報とに基づいてＳＭＦネットワーク要素を選択する。
【０１９６】
それに応じて、第１ＡＭＦネットワーク要素は、第２ＡＭＦネットワーク要素が送信した第１メッセージを受信する。
【０１９７】
５０５．第１ＡＭＦネットワーク要素が１つのセッションに対応する第２ネットワークスライスまたは少なくとも２つのセッションの全部もしくは一部に対応する第２ネットワークスライスをサポートするか否かを、第１ＡＭＦネットワーク要素が判断する。
【０１９８】
端末の現行セッションは、１つのセッションまたは少なくとも２つのセッションを含む。端末の現行セッションが１つのセッションを含むとき、第１ＡＭＦネットワーク要素は、第１ＡＭＦネットワーク要素が１つのセッションに対応する第２ネットワークスライスをサポートするか否かを判断する。端末の現行セッションが少なくとも２つのセッションを含むとき、第１ＡＭＦネットワーク要素は、第１ＡＭＦネットワーク要素が少なくとも２つのセッションの全部もしくは一部に対応する第２ネットワークスライスをサポートするか否かを判断する。
【０１９９】
第１ＡＭＦネットワーク要素が１つのセッションに対応する第２ネットワークスライスまたは少なくとも２つのセッションの全部に対応する第２ネットワークスライスをサポートすると決定したとき、第１ＡＭＦネットワーク要素は、第１ＡＭＦネットワーク要素が第２ＡＭＦネットワーク要素に第１通知メッセージを送信する段階５０６の実行を省略し、第１ＡＭＦネットワーク要素が、サポートされる第２ネットワークスライスに対応するセッション用に第２のネットワークリソースを準備する段階５０７を行う。
【０２００】
第１ＡＭＦネットワーク要素が少なくとも２つのセッションの一部に対応する第２ネットワークスライスをサポートすると第１ＡＭＦネットワーク要素が決定した場合、本明細書では、サポートされる当該一部のセッションを第１部セッションとして決定し、サポートされないその他のセッションを第２部セッションとして決定する。この場合、第１ＡＭＦネットワーク要素は、第２部セッションに対応する第２ネットワークスライスがサポートされない旨を知らせる第１通知メッセージを第２ＡＭＦネットワーク要素に送信する段階５０６を行う。加えて、第１ＡＭＦネットワーク要素は、サポートされる第２ネットワークスライスに対応するセッション用に第２のネットワークリソースを準備する段階５０７を行う。
【０２０１】
第１ＡＭＦネットワーク要素が１つのセッションに対応する第２ネットワークスライスまたは少なくとも２つのセッションの全部に対応する第２ネットワークスライスをサポートしないと決定した場合、第１ＡＭＦネットワーク要素は、全部のセッションに対応する第２ネットワークスライスがサポートされない旨を知らせる第１通知メッセージを第２ＡＭＦネットワーク要素に送信する段階５０６を行い、段階５０７の実行を省略する。
【０２０２】
第１ＡＭＦネットワーク要素が１つのセッションに対応する第２ネットワークスライスまたは少なくとも２つのセッションの全部もしくは一部に対応する第２ネットワークスライスをサポートか否かを判断する段階５０５の具体的な方式については、図４に示す実施形態の段階４０６についての詳細な説明を参照されたい。ここでは詳細の説明は繰り返さない。
【０２０３】
５０６．第１ＡＭＦネットワーク要素が１つのセッションに対応する第２ネットワークスライスまたは少なくとも２つのセッションの全部もしくは一部に対応する第２ネットワークスライスをサポートしないと決定したとき、第１ＡＭＦネットワーク要素が、第２ＡＭＦネットワーク要素に第１通知メッセージを送信する。
【０２０４】
段階５０６についての詳細な説明は、図４に示す実施形態の段階４０７を参照されたい。ここでは詳細の説明は繰り返さない。
【０２０５】
５０７．第１ＡＭＦネットワーク要素が、サポートされる第２ネットワークスライスに対応するセッション用に第２のネットワークリソースを準備する。
【０２０６】
具体的には、段階４０８が行われ、かつ段階５０７で説明されたいずれの場合にも、第１ＡＭＦネットワーク要素は、サポートされる第２ネットワークスライスに対応するセッション用に第２のネットワークリソースを準備する。第１ＡＭＦネットワーク要素は、ＳＭＦネットワーク要素識別子、セッション識別子、およびネットワークスライスに関する情報を保存する。第１ＡＭＦネットワーク要素は、接続されたＳＭＦネットワーク要素の中から端末のセッション用に新しいＳＭＦネットワーク要素を選択し、当該新ＳＭＦネットワーク要素が第２ＡＭＦネットワーク要素が選択した旧ＳＭＦネットワーク要素と異なる場合、端末がサポートするセッションのセッションコンテキストは、新ＳＭＦネットワーク要素と旧ＳＭＦネットワーク要素との間で同期される必要がある。セッションコンテキストは、セッション識別子、ＤＮＮ、およびＱｏＳ  ｆｌｏｗなどの情報を含む。新ＳＭＦネットワーク要素は端末のために新しいＵＰＦネットワーク要素を選択し、新ＵＰＦネットワーク要素は、新ＳＭＦネットワーク要素からの指示に基づいて、例えばトランスポート層アドレスまたはトンネルアドレスといったユーザプレーン伝送リソースを準備する必要がある。
【０２０７】
例えば、第１ＡＭＦネットワーク要素は、第１メッセージに保持されるＤＮＮと、セッションに対応する、サポートされる第２ネットワークスライスに関する情報とに基づいてＳＭＦネットワーク要素を選択してよい。
【０２０８】
５０８．第２ＡＭＦネットワーク要素が変更を行う。
【０２０９】
具体的には、第１ＡＭＦネットワーク要素が送信した第１通知メッセージを受信した後、第２ＡＭＦネットワーク要素は変更を行う。具体的には、第２ＡＭＦネットワーク要素は、第２ＡＭＦネットワーク要素に接続されたソースＲＡＮに変更要求を送信し、ソースＲＡＮが端末に変更命令を送信する。変更命令は、ターゲットＲＡＮの識別に使用する識別子を保持する。変更命令を受信した後、端末は、ターゲットＲＡＮに対して接続確立要求を起こし始め、ソースＲＡＮ（具体的に本出願の本実施形態においては、変更要求を送信するＲＡＮ）は、例えばシーケンス番号またはバッファキューといった送信機のステータスをターゲットＲＡＮと同期させる。ターゲットＲＡＮへの接続に成功した後、端末は、ターゲットＲＡＮを使用して第１ＡＭＦネットワーク要素に変更確認メッセージを送信する。第１ＡＭＦネットワーク要素は、変更確認メッセージを受信した後、端末のために選択したＳＭＦネットワーク要素とＳＭＦネットワーク要素に対応するＵＰＦネットワーク要素とのための第２のネットワークリソースを更新して、アップリンクデータおよびダウンリンクデータをいずれも確実にトンネル伝送できるようにする。
【０２１０】
５０９．第２ＡＭＦネットワーク要素が、１つのセッションに対応する第１ネットワークリソースまたは少なくとも２つのセッションの全部もしくは一部に対応する第１ネットワークリソースを解放する。
【０２１１】
具体的には、第１ＡＭＦネットワーク要素が１つのセッションに対応する第２ネットワークスライスまたは少なくとも２つのセッションの全部もしくは一部に対応する第２ネットワークスライスをサポートしないと第２ＡＭＦネットワーク要素が決定する段階５０６の後に、第２ＡＭＦネットワーク要素は、サポートされないセッションに対応する第１ネットワークリソースを解放し、それにより、ネットワークリソースの無駄が削減される。
【０２１２】
第２ＡＭＦネットワーク要素が第１ネットワークリソースを解放する段階５０９の具体的な実装については、図４に示す実施形態の段階４１０についての詳細な説明を参照されたい。ここでは詳細の説明は繰り返さない。
【０２１３】
５１０．１つのセッションに対応する第１ネットワークリソースまたは少なくとも２つのセッションの全部もしくは一部に対応する第１ネットワークリソースを解放したとき、第２ＡＭＦネットワーク要素が、１つのセッションのセッション識別子と関連付けられたＳＭＦネットワーク要素または少なくとも２つのセッションの全部もしくは一部のセッション識別子と関連付けられたＳＭＦネットワーク要素に第２通知メッセージを送信する。
【０２１４】
それに応じて、ＳＭＦネットワーク要素は、第２ＡＭＦネットワーク要素から第２通知メッセージを受信する。
【０２１５】
段階５１０についての詳細な説明は、図４に示す実施形態の段階４１１を参照されたい。ここでは詳細の説明は繰り返さない。
【０２１６】
５１１．ＳＭＦネットワーク要素が、端末の、ＳＭＦネットワーク要素と関連付けられたセッションが占有する第３ネットワークリソースを解放する。
【０２１７】
段階５１１についての詳細な説明は、図４に示す実施形態の段階４１２を参照されたい。ここでは詳細の説明は繰り返さない。
【０２１８】
５１２．ＳＭＦネットワーク要素が、セッションのセッション識別子と関連付けられたＵＰＦネットワーク要素に、端末が第２ＡＭＦネットワーク要素のスライスサービスエリア外に移動したことをＵＰＦネットワーク要素に通知するために使用する第３通知メッセージを送信する。
【０２１９】
具体的には、ＳＭＦネットワーク要素と関連付けられたセッションが占有する第３ネットワークリソースを解放したとき、ＳＭＦネットワーク要素は、セッションのセッション識別子と関連付けられたＵＰＦネットワーク要素に第３通知メッセージを送信する。ＵＰＦネットワーク要素が通知を受けることにより、ＵＰＦネットワーク要素は第４のネットワークリソースを解放し、その結果、ＵＰＦネットワーク要素側でのネットワークリソースの無駄が削減される。
【０２２０】
任意選択的に、ＳＭＦネットワーク要素は、セッションをサービス提供するＵＰＦネットワーク要素を、セッション識別子とＵＰＦネットワーク要素識別子との間の対応関係に基づいて決定してよい。また、ＳＭＦネットワーク要素は、対応するＵＰＦネットワーク要素にセッションのセッション識別子を保持する第３通知メッセージを送信でき、それにより、ＵＰＦネットワーク要素は、セッションが占有する第４のネットワークリソースを解放できる。その結果、ＵＰＦネットワーク要素側でのネットワークリソースの無駄が削減される。
【０２２１】
それに応じて、ＵＰＦネットワーク要素は、ＳＭＦネットワーク要素から第３通知メッセージを受信する。
【０２２２】
５１３．ＵＰＦネットワーク要素が、端末の、ＵＰＦネットワーク要素と関連付けられたセッションが占有する第４のネットワークリソースを解放する。
【０２２３】
ＵＰＦネットワーク要素は、例えばセッションに関連するユーザプレーン伝送リソース、例えばトランスポート層アドレスまたはトンネルアドレス、といったセッション識別子によって示されるセッションが占有する第４のネットワークリソースを、第３通知メッセージに保持されるセッション識別子に基づいて決定する。第３通知メッセージを受信することによって第４のネットワークリソースが解放されて、第４のネットワークリソースの無駄が削減される。
【０２２４】
本出願の本実施形態では、第１ＡＭＦネットワーク要素が端末のセッションに対応する第２ネットワークスライスをサポートしない旨を知らせる第１通知メッセージを第１ＡＭＦネットワーク要素が第２ＡＭＦネットワーク要素に送信し、それにより、第２ＡＭＦネットワーク要素が第１通知メッセージを受信した後、当該セッションが占有するネットワークリソースを解放するよう第２ＡＭＦネットワーク要素を適時にトリガでき、その結果、ネットワークリソースの無駄が削減される。加えて、端末が第２ＡＭＦネットワーク要素のサービスエリア外に移動したことを第２ＡＭＦネットワーク要素がＳＭＦネットワーク要素に通知することにより、セッションが占有するネットワークリソースを解放するようＳＭＦネットワーク要素が適時にトリガされ、その結果、ネットワークリソースの無駄がさらに削減される。さらに、端末が第２ＡＭＦネットワーク要素のサービスエリア外に移動したことをＳＭＦネットワーク要素がＵＰＦネットワーク要素に通知することにより、セッションが占有するネットワークリソースを解放するようＵＰＦネットワーク要素が適時にトリガされ、その結果、ネットワークリソースの無駄がさらに削減される。
【０２２５】
本出願の一実施形態はさらに、別のセッション処理方法と、当該方法に基づく第１ＡＭＦネットワーク要素、第２ＡＭＦネットワーク要素、ＳＭＦネットワーク要素、ＵＰＦネットワーク要素、およびシステムとを提供する。当該方法は、第２ＡＭＦが端末の現行セッションに対応する第２ネットワークスライスに関する情報を取得する段階であって、セッションは１つのセッションまたは少なくとも２つのセッションを含む、取得する段階と、第２ＡＭＦネットワーク要素がネットワークデバイスから第１メッセージを受信する段階であって、第１メッセージは、セッションの変更先である第１ＡＭＦネットワーク要素の識別子を含む、受信する段階と、第１ＡＭＦネットワーク要素が１つのセッションに対応する第２ネットワークスライスまたは少なくとも２つのセッションの全部もしくは一部に対応する第２ネットワークスライスをサポートしないと決定したとき、第２ＡＭＦネットワーク要素が１つのセッションに対応するネットワークリソースまたは少なくとも２つのセッションの全部もしくは一部に対応するネットワークリソースを解放する段階とを備える。１つのセッションに対応するネットワークリソースまたは少なくとも２つのセッションの全部もしくは一部に対応するネットワークリソースは、第１ネットワークリソースと称される場合がある。
【０２２６】
以下ではさらに、図６Ａおよび図６Ｂに関連して別のセッション処理方法を説明する。
【０２２７】
図２Ｂのシナリオ図に基づいて、図６Ａおよび図６Ｂを参照すると、図６Ａおよび図６Ｂは、本出願の一実施形態に係るセッション処理方法の概略フロー図である。図６Ａおよび図６Ｂに示すように、当該方法は、第１ＡＭＦネットワーク要素、第２ＡＭＦネットワーク要素、端末、ＲＡＮ、ＮＲＦネットワーク要素、ＳＭＦネットワーク要素、およびＵＰＦネットワーク要素の間のインタラクションを通して実装される。端末がＡＭＦネットワーク要素を変更する必要があるシナリオでは、第２ＡＭＦネットワーク要素は、変更前に端末にサービス提供するＡＭＦネットワーク要素であり、第１ＡＭＦネットワーク要素は、ＮＲＦネットワーク要素が決定する、端末の変更先であるＡＭＦネットワーク要素である。第１ＡＭＦネットワーク要素と第２ＡＭＦネットワーク要素とは、異なるＡＭＦネットワーク要素である。第１ＡＭＦネットワーク要素がサポートしないネットワークスライスに対応するセッションについては、第２ＡＭＦネットワーク要素が当該セッション用に選択したＳＭＦネットワーク要素が依然として、対応する制御プレーンリソースを維持し、第２ＡＭＦネットワーク要素がセッション用に選択したＵＰＦネットワーク要素が依然として、対応するユーザプレーンリソースを維持する。
【０２２８】
６０１．ＲＡＮが、第２ＡＭＦネットワーク要素に端末の変更要求を送信する。
【０２２９】
６０２．第２ＡＭＦネットワーク要素が、ＮＲＦネットワーク要素にネットワーク要素発見要求を送信する。
【０２３０】
６０３．ＮＲＦネットワーク要素が、端末にサービス提供する、決定された第１ＡＭＦネットワーク要素の識別子と、第１ＡＭＦネットワーク要素がサポートする第１ネットワークスライスに関する情報とを第２ＡＭＦネットワーク要素に送信する。
【０２３１】
段階６０１、段階６０２、および段階６０３の具体的な説明については、図５Ａに示す実施形態の段階５０１、段階５０２、および段階５０３を参照されたい。ここでは詳細の説明は繰り返さない。
【０２３２】
６０４．第１ＡＭＦネットワーク要素が１つのセッションに対応する第２ネットワークスライスまたは少なくとも２つのセッションの全部もしくは一部に対応する第２ネットワークスライスをサポートするか否かを第２ＡＭＦネットワーク要素が判断する。
【０２３３】
端末の現行セッションは、１つのセッションまたは少なくとも２つのセッションを含む。端末の現行セッションが１つのセッションを含むとき、第１ＡＭＦネットワーク要素が１つのセッションに対応する第２ネットワークスライスをサポートするか否かを第１ＡＭＦネットワーク要素が判断する。端末の現行セッションが少なくとも２つのセッションを含むとき、第１ＡＭＦネットワーク要素は、第１ＡＭＦネットワーク要素が少なくとも２つのセッションの全部もしくは一部に対応する第２ネットワークスライスをサポートするか否かを判断する。
【０２３４】
第１ＡＭＦネットワーク要素が１つのセッションに対応する第２ネットワークスライスまたは少なくとも２つのセッションの全部に対応する第２ネットワークスライスをサポートすると決定したとき、第２ＡＭＦネットワーク要素は、第１ＡＭＦネットワーク要素に第１通知メッセージを送信する段階６０５を行い、第１ＡＭＦネットワーク要素がサポートしない第２ネットワークスライスに対応するセッションが占有する第１ネットワークリソースを第２ＡＭＦネットワーク要素が解放する段階６０８の実行を省略する。
【０２３５】
第１ＡＭＦネットワーク要素が少なくとも２つのセッションの一部に対応する第２ネットワークスライスをサポートすると第２ＡＭＦネットワーク要素が決定した場合、本明細書では、サポートされる当該一部のセッションを第１部セッションとして決定し、サポートされないその他のセッションを第２部セッションとして決定する。この場合、第２ＡＭＦネットワーク要素は、第２ＡＭＦネットワーク要素が第１ＡＭＦネットワーク要素に第１通知メッセージを送信する段階６０５を行い、第２ＡＭＦネットワーク要素が第１ＡＭＦネットワーク要素によってサポートされない第２ネットワークスライスに対応するセッションが占有する第１ネットワークリソースを解放する段階６０８を行う。
【０２３６】
第１ＡＭＦネットワーク要素が１つのセッションに対応する第２ネットワークスライスまたは少なくとも２つのセッションの全部に対応する第２ネットワークスライスをサポートしないと決定したとき、第２ＡＭＦネットワーク要素は、第１ＡＭＦネットワーク要素がサポートするセッションの全部もしくは一部に対応する第２ネットワークスライスを知らせる第１通知メッセージを第２ＡＭＦネットワーク要素が第１ＡＭＦネットワーク要素に送信する段階６０５の実行を省略する。
【０２３７】
第１ＡＭＦネットワーク要素が１つのセッションに対応する第２ネットワークスライスまたは少なくとも２つのセッションの全部もしくは一部に対応する第２ネットワークスライスをサポートするか否かを第２ＡＭＦネットワーク要素が判断する段階６０４を行う具体的な方式については、図４に示す実施形態の段階４０６についての詳細な説明を参照されたい。当該２つの段階は、異なるエンティティによって行われるという点で異なる。段階６０４は第２ＡＭＦネットワーク要素によって行われ、段階４０６は第１ＡＭＦネットワーク要素によって行われる。ここでは詳細の説明は繰り返さない。
【０２３８】
６０５．第１ＡＭＦネットワーク要素が１つのセッションに対応する第２ネットワークスライスまたは少なくとも２つのセッションの全部もしくは一部に対応する第２ネットワークスライスをサポートすると決定したとき、第２ＡＭＦネットワーク要素は、第１ＡＭＦネットワーク要素に第１通知メッセージを送信する。
【０２３９】
第１ＡＭＦネットワーク要素が１つのセッションに対応する第２ネットワークスライスまたは少なくとも２つのセッションの全部もしくは一部に対応する第２ネットワークスライスをサポートすることを第１ＡＭＦネットワーク要素に通知するために第１通知メッセージを使用することにより、第１ＡＭＦネットワーク要素は第１ＡＭＦネットワーク要素がサポートする第２ネットワークスライスを決定できる。
【０２４０】
任意選択的に、第１ＡＭＦネットワーク要素が１つのセッションに対応する第２ネットワークスライスまたは少なくとも２つのセッションの全部もしくは一部に対応する第２ネットワークスライスをサポートすると第２ＡＭＦネットワーク要素が決定したとき、第１通知メッセージはさらに、例えばｓｕｐｐｏｒｔｅｄ  ｓｌｉｃｅといった指示情報を保持してよい。例えば、第１通知メッセージは、指示情報およびサポートされるセッション識別子を保持するか、または、指示情報およびサポートされるセッション識別子と関連付けられたＳＭＦネットワーク要素識別子を保持するか、または、指示情報、サポートされるセッション識別子、およびサポートされるセッション識別子と関連付けられたＳＭＦネットワーク要素識別子を保持する。
【０２４１】
任意選択的に、第１通知メッセージは、情報要素（ｉｎｆｏｒｍａｔｉｏｎ  ｅｌｅｍｅｎｔ、ＩＥ）、フラグ（ｆｌａｇ）、または原因（ｃａｕｓｅ）値等を使用して示されてよい。このことは、本出願の本実施形態において限定されない。例えば、第１通知メッセージは、事前に設定した第１原因値であり、第１原因値は、第１ＡＭＦネットワーク要素がセッションに対応するネットワークスライスをサポートすることを示すために使用する。
【０２４２】
例えば、端末の現行セッションが第１セッション、第２セッション、および第３セッションを含むと仮定する。第１ＡＭＦネットワーク要素は、第１セッションおよび第２セッションをサービス提供し、第１ＡＭＦネットワーク要素が第３セッションに対応するネットワークスライスをサポートしないと決定してよい。この場合、第２ＡＭＦネットワーク要素が第１ＡＭＦネットワーク要素に送信した第１通知メッセージは、第１セッションの識別子、第２セッションの識別子、および対応する第１原因値を含む。
【０２４３】
任意選択的に、第１通知メッセージは、第１ＡＭＦネットワーク要素がサポートする第２ネットワークスライスに対応するセッションのＤＮＮを保持し、それにより、第１ＡＭＦネットワーク要素は当該セッションに対応する、サポートされる第２ネットワークスライスに関する情報とＤＮＮとに基づいてＳＭＦネットワーク要素を選択する。
【０２４４】
それに応じて、第１ＡＭＦネットワーク要素は、第２ＡＭＦネットワーク要素が送信した第１通知メッセージを受信する。
【０２４５】
６０６．第１ＡＭＦネットワーク要素が、サポートされる第２ネットワークスライスに対応するセッション用に第２のネットワークリソースを準備する。
【０２４６】
６０７．第２ＡＭＦネットワーク要素が、変更を行う。
【０２４７】
段階６０６および段階６０７についての具体的な説明は、図５Ｂに示す実施形態の段階５０７および段階５０８を参照されたい。ここでは詳細の説明は繰り返さない。
【０２４８】
６０８．第２ＡＭＦネットワーク要素が、１つのセッションに対応する第１ネットワークリソースまたは少なくとも２つのセッションの全部もしくは一部に対応する第１ネットワークリソースを解放する。
【０２４９】
具体的には、第１ＡＭＦネットワーク要素が１つのセッションに対応する第２ネットワークスライスまたは少なくとも２つのセッションの全部もしくは一部に対応する第２ネットワークスライスをサポートしないと第２ＡＭＦネットワーク要素が決定する段階６０４の後に、第２ＡＭＦネットワーク要素は、サポートされないセッションに対応する第１ネットワークリソースを解放し、ネットワークリソースの無駄が削減される。
【０２５０】
任意選択的な方式では、第２ＡＭＦネットワーク要素が第１ＡＭＦネットワーク要素に第１通知メッセージを送信したとき、第２ＡＭＦネットワーク要素は、サポートされないセッションに対応する第１ネットワークリソースを直ちに解放する。あるいは、別の任意選択的な方式では、第２ＡＭＦネットワーク要素が第１ＡＭＦネットワーク要素に第１通知メッセージを送信したとき、第２ＡＭＦネットワーク要素は、サポートされないセッションに対応する第１ネットワークリソースを、事前に設定した時間が経過した後に解放する。
【０２５１】
第２ＡＭＦネットワーク要素が第１ネットワークリソースを解放する段階６０８についての具体的な説明は、図４に示す実施形態の段階４１０についての詳細な説明を参照されたい。ここでは詳細の説明は繰り返さない。
【０２５２】
６０９．１つのセッションに対応する第１ネットワークリソースまたは少なくとも２つのセッションの全部もしくは一部に対応する第１ネットワークリソースを解放したとき、第２ＡＭＦネットワーク要素は、１つのセッションのセッション識別子と関連付けられたＳＭＦネットワーク要素または少なくとも２つのセッションの全部もしくは一部のセッション識別子と関連付けられたＳＭＦネットワーク要素に第２通知メッセージを送信する。
【０２５３】
それに応じて、ＳＭＦネットワーク要素は、第２ＡＭＦネットワーク要素から第２通知メッセージを受信する。
【０２５４】
段階６０９の詳細な説明については、図４に示す実施形態の段階４１１を参照されたい。ここでは詳細の説明は繰り返さない。
【０２５５】
６１０．ＳＭＦネットワーク要素が、端末の、ＳＭＦネットワーク要素と関連付けられたセッションが占有する第３ネットワークリソースを解放する。
【０２５６】
段階６１０の詳細な説明については、図４に示す実施形態の段階４１２を参照されたい。ここでは詳細の説明は繰り返さない。
【０２５７】
６１１．ＳＭＦネットワーク要素が、セッションのセッション識別子と関連付けられたＵＰＦネットワーク要素に、端末が第２ＡＭＦネットワーク要素のスライスサービスエリア外に移動したことをＵＰＦネットワーク要素に通知するために使用する第３通知メッセージを送信する。
【０２５８】
それに応じて、ＵＰＦネットワーク要素は、ＳＭＦネットワーク要素から第３通知メッセージを受信する。
【０２５９】
６１２．ＵＰＦネットワーク要素が、端末の、ＵＰＦネットワーク要素と関連付けられたセッションが占有する第４のネットワークリソースを解放する。
【０２６０】
段階６１１および段階６１２の詳細な説明については、図５Ｂに示す実施形態の段階５１２および段階５１３を参照されたい。ここでは詳細の説明は繰り返さない。
【０２６１】
本出願の本実施形態では、第１ＡＭＦネットワーク要素が端末のセッションの全部もしくは一部に対応する第２ネットワークスライスをサポートしないと第２ＡＭＦが決定することにより、第２ＡＭＦネットワーク要素は、サポートされないセッションが占有するネットワークリソースを解放することができ、その結果、ネットワークリソースの無駄が削減される。さらに、端末が第２ＡＭＦネットワーク要素のサービスエリア外に移動したことを第２ＡＭＦネットワーク要素がＳＭＦネットワーク要素に通知することにより、セッションが占有するネットワークリソースを解放するようＳＭＦネットワーク要素が適時にトリガされ、その結果、ネットワークリソースの無駄がさらに削減される。
【０２６２】
本出願の一実施形態は、さらに別のセッション処理方法と、当該方法に基づく第１ＡＭＦネットワーク要素、第２ＡＭＦネットワーク要素、ＳＭＦネットワーク要素、ＵＰＦネットワーク要素、およびシステムとをさらに提供する。当該方法は、第２ＡＭＦが端末の現行セッションに対応する第２ネットワークスライスに関する情報を取得する段階であって、セッションは１つのセッションまたは少なくとも２つのセッションを含む、取得する段階と、第２ＡＭＦネットワーク要素がネットワークデバイスから第１メッセージを受信する段階であって、第１メッセージは第１ＡＭＦネットワーク要素がサポートする第１ネットワークスライスに関する情報を含む、受信する段階と、第１ネットワークスライスに関する情報が第２セッションに対応する第２ネットワークスライスに関する情報を含まないと決定したとき、第２ＡＭＦネットワーク要素が第２セッションに対応するネットワークリソースを解放する段階であって、セッションは第２セッションを含み、セッションのうちの第２セッション以外のセッションは第１セッションである、解放する段階とを備える。１つのセッションに対応するネットワークリソースまたは少なくとも２つのセッションの全部もしくは一部に対応するネットワークリソースは、第１ネットワークリソースと称される場合がある。
【０２６３】
以下ではさらに、図７、図８Ａ、および図８Ｂに関連してさらに別のセッション処理方法を説明する。
【０２６４】
図２Ａのシナリオ図に基づいて、図７を参照すると、図７は、本出願の一実施形態に係るセッション処理方法の概略フロー図である。図７に示すように、当該方法は、第１ＡＭＦネットワーク要素、第２ＡＭＦネットワーク要素、端末、ＲＡＮ、およびＳＭＦネットワーク要素の間のインタラクションを通して実装される。端末は接続状態であり、第２ＡＭＦネットワーク要素は端末にサービス提供する。端末が接続状態からアイドル状態に変更された後、端末がネットワークへ再登録する過程において、ＲＡＮは、第１ＡＭＦネットワーク要素が端末にサービス提供すると決定する。第１ＡＭＦネットワーク要素および第２ＡＭＦネットワーク要素は、異なるＡＭＦネットワーク要素である。第１ＡＭＦネットワーク要素によってサポートされないネットワークスライスに対応するセッションについては、第２ＡＭＦネットワーク要素と、第２ＡＭＦネットワーク要素が当該セッション用に選択したＳＭＦネットワーク要素とが、対応する制御プレーンリソースを依然として維持する。
【０２６５】
７０１．端末が、登録要求と端末の現行セッションに対応するネットワークスライスに関する情報とを、無線リソース制御シグナリングを使用してＲＡＮに送信する。
【０２６６】
７０２．ＲＡＮが、端末にサービス提供する第１ＡＭＦネットワーク要素を決定する。
【０２６７】
７０３．ＲＡＮが、第１ＡＭＦネットワーク要素に登録要求を送信する。
【０２６８】
段階７０１、段階７０２、および段階７０３の具体的な説明については、図４に示す実施形態の段階４０１、段階４０２、および段階４０３を参照されたい。ここでは詳細の説明は繰り返さない。
【０２６９】
７０４．第１ＡＭＦネットワーク要素が、第１ＡＭＦネットワーク要素がサポートする第１ネットワークスライスに関する情報を含む第１メッセージを第２ＡＭＦネットワーク要素に送信する。
【０２７０】
具体的には、ＲＡＮが送信した登録要求を受信した後、第１ＡＭＦネットワーク要素は、第２ＡＭＦネットワーク要素に第１メッセージを送信する。第１メッセージは、第１ＡＭＦネットワーク要素によってサポートされる第１ネットワークスライスに関する情報を含む。このようにして、第２ＡＭＦネットワーク要素は、第１ネットワークスライスに関する情報が端末のセッションに対応する第２ネットワークスライスに関する情報を含むか否かを判断する。
【０２７１】
任意選択的に、第１メッセージは、コンテキスト取得要求であり、端末のコンテキストの取得に使用する。
【０２７２】
７０５．第２ＡＭＦネットワーク要素が、第１ネットワークスライスに関する情報が第２ネットワークスライスに関する情報を含むか否かを判断する。
【０２７３】
端末の現行セッションは、１つのセッションまたは少なくとも２つのセッションを含む。端末の現行セッションが１つのセッションを含むとき、第１ＡＭＦネットワーク要素は、第１ネットワークスライスに関する情報が１つのセッションに対応する第２ネットワークスライスに関する情報を含むか否かを判断する。端末の現行セッションが少なくとも２つのセッションを含むとき、第１ＡＭＦネットワーク要素は、第１ネットワークスライスに関する情報が少なくとも２つのセッションの全部もしくは一部に対応する第２ネットワークスライスに関する情報を含むか否かを判断する。
【０２７４】
１つのセッションのみがある場合、第１ネットワークスライスに関する情報が当該セッションに対応する第２ネットワークスライスに関する情報を含むと決定したとき、第２ＡＭＦネットワーク要素は、第２ＡＭＦネットワーク要素が第１ＡＭＦネットワーク要素に第１通知メッセージを送信する段階７０６を行う。
【０２７５】
少なくとも２つのセッションがある場合、第１ネットワークスライスに関する情報が少なくとも２つのセッションの全部もしくは一部に対応する第２ネットワークスライスに関する情報を含むと決定したとき、第２ＡＭＦネットワーク要素は、第２ＡＭＦネットワーク要素が第１ＡＭＦネットワーク要素に第１通知メッセージを送信する段階７０６を行う。
【０２７６】
言い換えれば、第２ＡＭＦネットワーク要素は、第１ネットワークスライスに関する情報が当該セッションに対応する第２ネットワークスライスに関する情報を含むか否かを、第１ＡＭＦネットワーク要素がサポートする第１ネットワークスライスに関する情報に基づいて判断して、第１ＡＭＦネットワーク要素がネットワークスライスをデプロイすることが原因で第１ＡＭＦネットワーク要素が第２ネットワークスライスをサポートしなくなるか否かを判断する。
【０２７７】
任意選択的に、第１ＡＭＦネットワーク要素が１つのセッションに対応する第２ネットワークスライスまたは少なくとも２つのセッションの全部もしくは一部に対応する第２ネットワークスライスをサポートすると決定したとき、第２ＡＭＦネットワーク要素は、第１ＡＭＦネットワーク要素に第１通知メッセージを送信する段階７０６を行う。
【０２７８】
７０６．第２ＡＭＦネットワーク要素が、第１ＡＭＦネットワーク要素に第１通知メッセージを送信する。
【０２７９】
第１通知メッセージは、第１ネットワークスライスに関する情報が第１セッションに対応する第２ネットワークスライスに関する情報を含むことを第１ＡＭＦネットワーク要素に通知するために使用する。第１セッションは、端末の１つのセッションまたは少なくとも２つのセッションの全部もしくは一部であり、第２セッションは、当該１つのセッションまたは少なくとも２つのセッションのうち第１セッションを除くセッションである。
【０２８０】
任意選択的に、第１通知メッセージは、例えばｓｕｐｐｏｒｔｅｄ  ｓｌｉｃｅといった指示情報と、第１セッションのセッション識別子とを含む。
【０２８１】
任意選択的に、第１通知メッセージが第１セッションのＤＮＮをさらに含むことにより、第１ＡＭＦネットワーク要素は、セッションに対応する、サポートされる第２ネットワークスライスに関する情報とＤＮＮとに基づいてＳＭＦネットワーク要素を選択する。
【０２８２】
７０７．第３ネットワークスライスに関する情報が第２ネットワークスライスに関する情報を含むか否かを、第１ＡＭＦネットワーク要素が判断する。
【０２８３】
第３ネットワークスライスに関する情報は、例えば許可されたＮＳＳＡＩといった、端末に割り当てられた許可されたネットワークスライスに関する情報である。例えば、第１ＡＭＦネットワーク要素は、ネットワークスライス選択機能（ｎｅｔｗｏｒｋ  ｓｌｉｃｅ  ｓｅｌｅｃｔｉｏｎ  ｆｕｎｃｔｉｏｎ、ＮＳＳＦ）ネットワーク要素から第３ネットワークスライスに関する情報を取得する。
【０２８４】
第１通知メッセージに含まれる第１セッションのセッションについてはいずれも、当該セッションに対応する第２ネットワークスライスに関する情報は、第１ネットワークスライスに関する情報に含まれる。許可された第３ネットワークスライスに関する情報がセッションに対応する第２ネットワークスライスに関する情報を含まない場合、それは第１ＡＭＦネットワーク要素が当該セッションに対応する第２ネットワークスライスをサポートしないことを示す。許可された第３ネットワークスライスに関する情報がセッションに対応する第２ネットワークスライスに関する情報を含む場合、それは第１ＡＭＦネットワーク要素が当該セッションに対応するネットワークスライスをサポートすることを示す。
【０２８５】
決定結果に基づいて、第１ＡＭＦネットワーク要素は、第１ＡＭＦネットワーク要素がサービス提供できるセッションと、第１ＡＭＦネットワーク要素がサービス提供できないセッションとを決定できる。本実施形態では、第１ＡＭＦネットワーク要素は、第３セッションに対応するネットワークスライスはサポートしないが、第１セッションのうちの第３セッション以外のセッションに対応するネットワークスライスはサポートする。
【０２８６】
７０８．第１ＡＭＦネットワーク要素が、第２ＡＭＦネットワーク要素に第４通知メッセージを送信する。
【０２８７】
第４通知メッセージは、第１ＡＭＦネットワーク要素が第３セッションに対応する第２ネットワークスライスをサポートしないことを通知するために使用する。第３セッションは、第１セッションの全部もしくは一部のセッションである。このようにして、第２ＡＭＦネットワーク要素は、第１ＡＭＦネットワーク要素が第３セッションをサポートしないと決定し、第３セッションが占有する第１ネットワークリソースを解放する。
【０２８８】
任意選択的に、第３セッションに含まれるセッション数が第１セッションに含まれるセッション数よりも少ないとき、第１ＡＭＦネットワーク要素は段階７０９を行う。
【０２８９】
７０９．第１ＡＭＦネットワーク要素が、端末に登録受付メッセージを送信する。
【０２９０】
７１０．端末が、第１ＡＭＦネットワーク要素に登録完了メッセージを送信する。
【０２９１】
段階７０９および段階７１０についての具体的な説明は、図４に示す実施形態の段階４０８および段階４０９を参照されたい。ここでは詳細の説明は繰り返さない。
【０２９２】
７１１．第２ＡＭＦネットワーク要素が、第１ネットワークリソースを解放する。
【０２９３】
段階７０５の後、端末の現行セッションが１つのセッションを含む場合、第１ネットワークスライスに関する情報が当該セッションに対応する第２ネットワークスライスに関する情報を含まないとき、本実施形態の段階７０６から段階７１０は省略されるが、当該セッションが占有する第１ネットワークリソースを第２ＡＭＦネットワーク要素が解放する段階７１１は行われる。
【０２９４】
端末の現行セッションが少なくとも２つのセッションを含み、第１ネットワークスライスに関する情報が、少なくとも２つのセッションに含まれる第１セッションに対応する第２ネットワークスライスに関する情報を含むと仮定する。第１セッションが当該少なくとも２つのセッションと同一である場合、本実施形態では段階７０５の後に段階７０６が行われ、段階７１１は一時的に省略される。第１セッションの含むセッション数が当該少なくとも２つのセッションよりも少ない場合、本実施形態では段階７０５の後に段階７０６が行われ、当該少なくとも２つのセッションのうちの第１セッション以外のセッションが占有する第１ネットワークリソースを第２ＡＭＦネットワーク要素が解放する段階７１１が行われて、ネットワークリソースの無駄が削減される。
【０２９５】
第１ＡＭＦネットワーク要素が送信した第４通知メッセージを受信したとき、第２ＡＭＦネットワーク要素は、第３セッションが占有する第１ネットワークリソースを解放する段階７１１を行い、ネットワークリソースの無駄が削減される。
【０２９６】
第２ＡＭＦネットワーク要素が第１ネットワークリソースを解放する段階７１１の具体的な実装については、図４に示す実施形態の段階４１０についての詳細な説明を参照されたい。ここでは詳細の説明は繰り返さない。
【０２９７】
７１２．第２セッションおよび第３セッションが占有する第１ネットワークリソースを解放したとき、第２ＡＭＦネットワーク要素が、第２セッションおよび第３セッションのそれぞれのセッション識別子と関連付けられたＳＭＦネットワーク要素に第２通知メッセージを送信する。
【０２９８】
それに応じて、ＳＭＦネットワーク要素は、第２ＡＭＦネットワーク要素から第２通知メッセージを受信する。
【０２９９】
７１３．ＳＭＦネットワーク要素が、端末の、ＳＭＦネットワーク要素と関連付けられたセッションが占有する第３ネットワークリソースを解放する。
【０３００】
段階７１２および段階７１３の詳細な説明については、図４に示す実施形態の段階４１１および段階４１２を参照されたい。ここでは詳細の説明は繰り返さない。
【０３０１】
本出願の本実施形態では、第１ＡＭＦネットワーク要素が端末のセッションの全部もしくは一部に対応する第２ネットワークスライスをサポートしないと決定されることにより、第２ＡＭＦネットワーク要素は、サポートされないセッションが占有するネットワークリソースを解放でき、その結果、ネットワークリソースの無駄が削減される。加えて、端末が第２ＡＭＦネットワーク要素のサービスエリア外に移動したことを第２ＡＭＦネットワーク要素がＳＭＦネットワーク要素に通知することにより、セッションが占有するネットワークリソースを適時に解放するようＳＭＦネットワーク要素がトリガされ、その結果、ネットワークリソースの無駄がさらに削減される。
【０３０２】
図２Ｂのシナリオ図に基づいて、図８Ａおよび図８Ｂを参照すると、図８Ａおよび図８Ｂは、本出願の一実施形態に係るセッション処理方法の概略フロー図である。図８Ａおよび図８Ｂに示すように、当該方法は、第１ＡＭＦネットワーク要素、第２ＡＭＦネットワーク要素、端末、ＲＡＮ、ＮＲＦネットワーク要素、ＳＭＦネットワーク要素、およびＵＰＦネットワーク要素の間のインタラクションを通して実装される。端末がＡＭＦネットワーク要素を変更する必要があるシナリオにおいて、第２ＡＭＦネットワーク要素は、変更前に端末にサービス提供するＡＭＦネットワーク要素であり、第１ＡＭＦネットワーク要素は、ＮＲＦネットワーク要素が決定する、端末の変更先であるＡＭＦネットワーク要素である。第１ＡＭＦネットワーク要素および第２ＡＭＦネットワーク要素は、異なるＡＭＦネットワーク要素である。第１ＡＭＦネットワーク要素によってサポートされないネットワークスライスに対応するセッションについては、第２ＡＭＦネットワーク要素と、第２ＡＭＦネットワーク要素が当該セッション用に選択したＳＭＦネットワーク要素とが、対応する制御プレーンリソースをさらに維持し、第２ＡＭＦネットワーク要素が当該セッション用に選択したＵＰＦネットワーク要素が、対応するユーザプレーンリソースをさらに維持する。
【０３０３】
８０１．ＲＡＮが、第２ＡＭＦネットワーク要素に端末の変更要求を送信する。
【０３０４】
８０２．第２ＡＭＦネットワーク要素が、ＮＲＦネットワーク要素にネットワーク要素発見要求を送信する。
【０３０５】
８０３．ＮＲＦネットワーク要素が、端末にサービス提供する、決定された第１ＡＭＦネットワーク要素の識別子と、当該第１ＡＭＦネットワーク要素がサポートする第１ネットワークスライスに関する情報とを、第２ＡＭＦネットワーク要素に送信する。
【０３０６】
段階８０１、段階８０２、および段階８０３についての具体的な説明は、図５Ａに示す実施形態の段階５０１、段階５０２、および段階５０３を参照されたい。ここでは詳細の説明は繰り返さない。
【０３０７】
８０４．第１ネットワークスライスに関する情報が第２ネットワークスライスに関する情報を含むか否かを、第２ＡＭＦネットワーク要素が判断する。
【０３０８】
８０５．第２ＡＭＦネットワーク要素が、第１ＡＭＦネットワーク要素に第１通知メッセージを送信する。
【０３０９】
８０６．第３ネットワークスライスに関する情報が第２ネットワークスライスに関する情報を含むか否かを、第１ＡＭＦネットワーク要素が判断する。
【０３１０】
８０７．第１ＡＭＦネットワーク要素が、第２ＡＭＦネットワーク要素に第４通知メッセージを送信する。
【０３１１】
８０８．第２ＡＭＦネットワーク要素が、第１ネットワークリソースを解放する。
【０３１２】
段階８０４、段階８０５、段階８０６、段階８０７、および段階８０８についての具体的な説明は、図７に示す実施形態の段階７０５、段階７０６、段階７０７、段階７０８、および段階７１１を参照されたい。ここでは詳細の説明は繰り返さない。
【０３１３】
８０９．第１ＡＭＦネットワーク要素が、サポートされる第２ネットワークスライスに対応するセッション用に第２のネットワークリソースを準備する。
【０３１４】
第１ＡＭＦネットワーク要素が第３セッションに対応するネットワークスライスをサポートせず、第１セッションのうちの第３セッション以外のセッションに対応するネットワークスライスをサポートすると段階８０６において決定された場合、段階８０９におけるサポートされる第２ネットワークスライスに対応するセッションは、第１セッションのうちの第３セッション以外のセッションである。
【０３１５】
第２のネットワークリソースを準備する段階８０６の具体的な実装は、図５Ｂに示す実施形態の段階５０７についての具体的な説明を参照されたい。ここでは詳細の説明は繰り返さない。
【０３１６】
８１０．第２ＡＭＦネットワーク要素が、変更を行う。
【０３１７】
段階８１０についての具体的な説明は、図５Ｂに示す実施形態の段階５０８を参照されたい。ここでは詳細の説明は繰り返さない。
【０３１８】
８１１．第１ネットワークリソースを解放したとき、第２ＡＭＦネットワーク要素が、第２セッションおよび第３セッションのそれぞれのセッション識別子と関連付けられたＳＭＦネットワーク要素に第２通知メッセージを送信する。
【０３１９】
それに応じて、ＳＭＦネットワーク要素は、第２ＡＭＦネットワーク要素から第２通知メッセージを受信する。
【０３２０】
８１２．ＳＭＦネットワーク要素が、端末の、ＳＭＦネットワーク要素と関連付けられたセッションが占有する第３ネットワークリソースを解放する。
【０３２１】
段階８１１および段階８１２についての詳細な説明は、図４に示す実施形態の段階４１１および段階４１２を参照されたい。ここでは詳細の説明は繰り返さない。
【０３２２】
８１３．ＳＭＦネットワーク要素が、セッションのセッション識別子と関連付けられたＵＰＦネットワーク要素に、端末が第２ＡＭＦネットワーク要素のスライスサービスエリア外に移動したことをＵＰＦネットワーク要素に通知するために使用する第３通知メッセージを送信する。
【０３２３】
それに応じて、ＵＰＦネットワーク要素は、ＳＭＦネットワーク要素から第３通知メッセージを受信する。
【０３２４】
８１４．ＵＰＦネットワーク要素が、端末の、ＵＰＦネットワーク要素と関連付けられたセッションが占有する第４のネットワークリソースを解放する。
【０３２５】
段階８１３および段階８１４についての詳細な説明は、図５Ｂに示す実施形態の段階５１２および段階５１３を参照されたい。ここでは詳細の説明は繰り返さない。
【０３２６】
本出願の本実施形態では、第１ＡＭＦネットワーク要素が端末のセッションに対応する第２ネットワークスライスをサポートしないと決定されることにより、第２ＡＭＦネットワーク要素が当該サポートされないセッションが占有するネットワークリソースを解放でき、その結果、ネットワークリソースの無駄が削減される。加えて、端末が第２ＡＭＦネットワーク要素のサービスエリア外に移動したことを第２ＡＭＦネットワーク要素がＳＭＦネットワーク要素に通知することにより、セッションが占有するネットワークリソースを解放するようＳＭＦネットワーク要素が適時にトリガされ、その結果、ネットワークリソースの無駄がさらに削減される。
【０３２７】
ここまでは、主に、異なるネットワーク要素間のインタラクションの視点から、本出願の実施形態において提供される解決手段を説明した。上述の機能を実装するべく、第１ＡＭＦネットワーク要素、第２ＡＭＦネットワーク要素、ＳＭＦネットワーク要素、またはＵＰＦネットワーク要素は、ハードウェア構造および／または各機能に対応するソフトウェアモジュールを含むことが理解できるであろう。本出願において開示される実施形態で説明した例に関連して、ユニットおよびアルゴリズムの段階は、本出願の本実施形態では、ハードウェア、またはハードウェアとコンピュータソフトウェアとの組み合わせで実装可能である。機能をハードウェアで実装するか、コンピュータソフトウェアがハードウェアを駆動する方式で実装するかは、個々の用途および技術的解決手段の設計制限条件次第で決まる。当業者であれば、説明した機能を実装するべく個々の用途ごとに異なる方法を使用できるが、そのような実装が本出願の本実施形態の技術的解決手段の範囲を超えるものとみなされべきではない。
【０３２８】
本出願の本実施形態では、機能モジュールまたは機能ユニットの分割は、方法の実施例に基づいて、第１ＡＭＦネットワーク要素、第２ＡＭＦネットワーク要素、ＳＭＦネットワーク要素、またはＵＰＦネットワーク要素等において行われてよい。例えば、機能モジュールまたは機能ユニットは、機能ごとに対応させて分割してよく、または、２もしくは２より多くの機能が１つの処理モジュールもしくは処理ユニットに統合されてもよい。統合されたモジュールまたはユニットはハードウェアの形態で実装されてよく、または、ソフトウェア機能モジュールの形態で実装されてもよい。本出願の本実施形態のモジュールまたはユニットの分割は一例であって、単に論理機能による分割であり、実際の実装では代替的に他の分割であってもよいことに留意されたい。
【０３２９】
異なる機能モジュールまたは機能ユニットが使用されるとき、図９は、本出願の一実施形態に係るＡＭＦネットワーク要素９００の可能な概略ブロック図である。ＡＭＦネットワーク要素９００は、上述の方法における第１ＡＭＦネットワーク要素９００であってよく、図３から図８Ｂの方法における第１ＡＭＦネットワーク要素が行う各段階を行うことができる。例えば、第１ＡＭＦネットワーク要素９００は、図３の手順３０１および３０２と、図４の手順４０３、４０４、４０５、４０６、４０７および４０８、図５Ａおよび図５Ｂの手順５０４、５０５、５０６、５０７および５０８、図６Ａおよび図６Ｂの手順６０５、６０６および６０７、図７の手順７０３、７０４、７０６、７０７、７０８、７０９および７１０、図８Ａおよび図８Ｂの手順８０５、８０６、８０７、８０９および８１０、ならびに／または本明細書において説明した技術の他の手順を行うことができる。
【０３３０】
図９に示すように、第１ＡＭＦネットワーク要素９００は、処理ユニット９０１、受信ユニット９０２、および送信ユニット９０３を備える。
【０３３１】
処理ユニット９０１は、受信ユニット９０２を使用して第２ＡＭＦネットワーク要素から第１メッセージを受信する。第１メッセージは、端末の現行セッションに対応する第２ネットワークスライスに関する情報を含み、当該セッションは、１つのセッションまたは少なくとも２つのセッションを含む。
【０３３２】
第１ＡＭＦネットワーク要素が１つのセッションに対応する第２ネットワークスライスまたは少なくとも２つのセッションの全部もしくは一部に対応する第２ネットワークスライスをサポートしないと送信ユニット９０３が決定したとき、処理ユニット９０１は、第２ＡＭＦネットワーク要素に第１通知メッセージを送信する。第１通知メッセージは、第１ＡＭＦネットワーク要素が１つのセッションに対応する第２ネットワークスライスまたは少なくとも２つのセッションの全部もしくは一部に対応する第２ネットワークスライスをサポートしないことを第２ＡＭＦネットワーク要素に通知するために使用される。
【０３３３】
統合されたモジュールまたはユニットが使用されるとき、図１０は、本出願の一実施形態に係る第１ＡＭＦネットワーク要素１０００の可能な概略ブロック図である。第１ＡＭＦネットワーク要素１０００は、処理ユニット１００２および通信ユニット１００３を備える。処理ユニット１００２は、第１ＡＭＦネットワーク要素１０００の動作の制御管理を行うよう構成される。例えば、処理ユニット１００２は、図３の手順３０１および３０２、図４の手順４０３、４０４、４０５、４０６、４０７および４０８、図５Ａおよび図５Ｂの手順５０４、５０５、５０６、５０７および５０８、図６Ａおよび図６Ｂの手順６０５、６０６および６０７、図７の手順７０３、７０４、７０６、７０７、７０８、７０９および７１０、図８Ａおよび図８Ｂの手順８０５、８０６、８０７、８０９および８１０、ならびに／または本明細書において説明した技術の他の手順を行う際、第１ＡＭＦネットワーク要素１０００をサポートするよう構成される。通信ユニット１００３は、第１ＡＭＦネットワーク要素１０００と第２ＡＭＦネットワーク要素または別のネットワーク要素との間の通信をサポートするよう構成される。第１ＡＭＦネットワーク要素１０００は、第１ＡＭＦネットワーク要素１０００のプログラムコードおよびデータを記憶するよう構成される記憶ユニット１００１をさらに備えてよい。
【０３３４】
処理ユニット１００２は、例えば中央演算処理装置（ｃｅｎｔｒａｌ  ｐｒｏｃｅｓｓｉｎｇ  ｕｎｉｔ、ＣＰＵ）、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）もしくは他のプログラマブルロジックデバイス、トランジスタロジックデバイス、ハードウェアコンポーネント、またはそれらの任意の組み合わせといったプロセッサまたはコントローラであってよい。処理ユニット１００２は、本出願において開示した内容に関連して説明した、様々な例示の論理ブロック、モジュール、および回路を実装または実行してよい。あるいは、処理ユニット１００２は、例えば、１または複数のマイクロプロセッサの組み合わせ、またはＤＳＰとマイクロプロセッサとの組み合わせといった、演算処理機能を実装するための組み合わせであってよい。通信ユニット１００３は、通信インタフェース、送受信機、または送受信回路等であってよい。通信インタフェースというのは一般名称である。具体的に実装する中では、通信インタフェースは、例えば、第１ＡＭＦネットワーク要素１０００とサービス管理ユニットとの間のインタフェース、および／または他のインタフェースといった、複数のインタフェースを含んでよい。記憶ユニット１００１はメモリであってよい。
【０３３５】
処理ユニット１００２がプロセッサであり、通信ユニット１００３が通信インタフェースであり、記憶ユニット１００１がメモリであるとき、本出願の本実施形態に含まれるネットワークコンポーネント管理ユニットは、図１１に示す第１ＡＭＦネットワーク要素１１００であってよい。
【０３３６】
図１１に示すように、第１ＡＭＦネットワーク要素１１００は、プロセッサ１１０２、通信インタフェース１１０３、およびメモリ１１０１を備える。任意選択的に、第１ＡＭＦネットワーク要素１１００は、バス１１０４をさらに備えてよい。通信インタフェース１１０３、プロセッサ１１０２、およびメモリ１１０１は、バス１１０４を使用して互いに接続されてよい。バス１１０４は、ペリフェラルコンポーネントインターコネクト（ｐｅｒｉｐｈｅｒａｌ  ｃｏｍｐｏｎｅｎｔ  ｉｎｔｅｒｃｏｎｎｅｃｔ、略称ＰＣＩ）バスまたは拡張型業界標準アーキテクチャ（ｅｘｔｅｎｄｅｄ  ｉｎｄｕｓｔｒｙ  ｓｔａｎｄａｒｄ  ａｒｃｈｉｔｅｃｔｕｒｅ、略称ＥＩＳＡ）バス等であってよい。バス１１０４は、アドレスバス、データバス、および制御バス等に分類されてよい。表記を簡単にするために、図１１ではバス１１０４はただ１本の太線を使用して表しているが、１本のバスまたは１つのバスタイプしかないことを意味しているのではない。
【０３３７】
本出願の実施形態が提供する技術的解決手段に関連し、図９の第１ＡＭＦネットワーク要素９００、図１０の第１ＡＭＦネットワーク要素１０００、および図１１の第１ＡＭＦネットワーク要素１１００に関連するものである概念、解釈、詳細な説明、および他の段階については、上述の方法または他の実施形態の内容に関する記載における説明を参照されたい。ここでは詳細の説明は繰り返さない。
【０３３８】
異なる機能モジュールまたは機能ユニットが使用されるとき、図１２は、本出願の一実施形態に係るＡＭＦネットワーク要素１２００の可能な概略ブロック図である。ＡＭＦネットワーク要素１２００は、上述の方法の第２ＡＭＦネットワーク要素１２００であってよく、図３から図８Ｂの方法における第２ＡＭＦネットワーク要素が行う各段階を行うことができる。例えば、第２ＡＭＦネットワーク要素１２００は、図３の手順３０１、３０２および３０３、図４の手順４０４、４０５、４０７、４１０および４１１、図５Ａおよび図５Ｂの手順５０１、５０２、５０３、５０４、５０６、５０９および５１０、図６Ａおよび図６Ｂの手順６０１、６０２、６０３、６０４、６０５、６０７、６０８および６０９、図７の手順７０４、７０５、７０６、７０８、７１１および７１２、図８Ａおよび図８Ｂの手順８０１、８０２、８０３、８０４、８０５、８０７、８０８、８１０および８１１、ならびに／または、本明細書において説明される技術の他の手順を行うことができる。
【０３３９】
図１２に示すように、第２ＡＭＦネットワーク要素１２００は、処理ユニット１２０１、送信ユニット１２０２、および受信ユニット１２０３を備える。
【０３４０】
処理ユニット１２０１は、送信ユニット１２０２を使用して第１ＡＭＦネットワーク要素に第１メッセージを送信する。第１メッセージは、端末の現行セッションに対応する第２ネットワークスライスに関する情報を含み、セッションは、１つのセッションまたは少なくとも２つのセッションを含む。
【０３４１】
処理ユニット１２０１は、受信ユニット１２０３を使用して第１ＡＭＦネットワーク要素から第１通知メッセージを受信する。第１通知メッセージは、第１ＡＭＦネットワーク要素が１つのセッションに対応する第２ネットワークスライスまたは少なくとも２つのセッションの全部もしくは一部に対応する第２ネットワークスライスをサポートしないことを第２ＡＭＦネットワーク要素に通知するために使用する。
【０３４２】
処理ユニット１２０１はさらに、１つのセッションに対応するネットワークリソースまたは少なくとも２つのセッションの全部もしくは一部に対応するネットワークリソースを解放するよう構成される。
【０３４３】
統合されたモジュールまたはユニットを使用するとき、図１３は、本出願の一実施形態に係る第２ＡＭＦネットワーク要素１３００の可能な概略ブロック図である。第２ＡＭＦネットワーク要素１３００は、処理ユニット１３０２および通信ユニット１３０３を備える。処理ユニット１３０２は、第２ＡＭＦネットワーク要素１３００の動作の制御管理を行うよう構成される。例えば、処理ユニット１３０２は、図３の手順３０１、３０２および３０３、図４の手順４０４、４０５、４０７、４１０および４１１、図５Ａおよび図５Ｂの手順５０１、５０２、５０３、５０４、５０６、５０９および５１０、図６Ａおよび図６Ｂの手順６０１、６０２、６０３、６０４、６０５、６０７、６０８および６０９、図７の手順７０４、７０５、７０６、７０８、７１１および７１２、図８Ａおよび図８Ｂの手順８０１、８０２、８０３、８０４、８０５、８０７、８０８、８１０および８１１、ならびに／または、本明細書において説明した技術の他の手順を行う際、第２ＡＭＦネットワーク要素１３００をサポートするよう構成される。通信ユニット１３０３は、第２ＡＭＦネットワーク要素１３００と第１ＡＭＦネットワーク要素、ＳＭＦネットワーク要素、または別のネットワーク要素との間の通信をサポートするよう構成される。第２ＡＭＦネットワーク要素１３００は、第２ＡＭＦネットワーク要素１３００のプログラムコードおよびデータを記憶するよう構成される記憶ユニット１３０１をさらに備えてよい。
【０３４４】
処理ユニット１３０２は、例えばＣＰＵ、汎用プロセッサ、ＤＳＰ、ＡＳＩＣ、ＦＰＧＡもしくは他のプログラマブルロジックデバイス、トランジスタロジックデバイス、ハードウェアコンポーネント、またはそれらの任意の組み合わせといったプロセッサまたはコントローラであってよい。処理ユニット１３０２は、本出願において開示される内容に関連して説明した様々な例示の論理ブロック、モジュール、および回路を実装または実行してよい。あるいは、処理ユニット１３０２は、例えば、１または複数のマイクロプロセッサの組み合わせ、またはＤＳＰとマイクロプロセッサとの組み合わせといった、演算処理機能を実装するための組み合わせであってよい。通信ユニット１３０３は、通信インタフェース、送受信機、または送受信回路等であってよい。通信インタフェースというのは一般名称である。具体的に実装する中で、通信インタフェースは、例えば、第２ＡＭＦネットワーク要素１３００とサービス管理ユニットとの間のインタフェース、および／または他のインタフェースといった複数のインタフェースを含んでよい。記憶ユニット１３０１はメモリであってよい。
【０３４５】
処理ユニット１３０２がプロセッサであり、通信ユニット１３０３が通信インタフェースであり、記憶ユニット１３０１がメモリであるとき、本出願の本実施形態に含まれるネットワークコンポーネント管理ユニットは、図１４に示す第２ＡＭＦネットワーク要素１４００であってよい。
【０３４６】
図１４に示すように、第２ＡＭＦネットワーク要素１４００は、プロセッサ１４０２、通信インタフェース１４０３、およびメモリ１４０１を備える。任意選択的に、第２ＡＭＦネットワーク要素１４００は、バス１４０４をさらに備えてよい。通信インタフェース１４０３、プロセッサ１４０２、およびメモリ１４０１は、バス１４０４を使用して互いに接続されてよい。バス１４０４は、ＰＣＩバスまたはＥＩＳＡバス等であってよい。バス１４０４は、アドレスバス、データバス、および制御バス等に分類されてよい。表記を簡単にするために、図１４ではバス１４０４はただ１本の太線を使用して表しているが、１本のバスまたは１つのバスタイプしかないことを意味しているのではない。
【０３４７】
本出願の実施形態が提供する技術的解決手段に関連し、図１２の第２ＡＭＦネットワーク要素１２００、図１３の第２ＡＭＦネットワーク要素１３００、および図１４の第２ＡＭＦネットワーク要素１４００に関連する概念、解釈、詳細な説明、および他の段階については、上述の方法または内容に関連する他の実施形態の記載における説明を参照されたい。ここでは詳細の説明は繰り返さない。
【０３４８】
本出願の一実施形態はさらに、ＳＭＦネットワーク要素を提供する。図１５、図１６、および図１７に示すように、ＳＭＦネットワーク要素の概略構造図は、上述した第１ＡＭＦネットワーク要素または上述した第２ＡＭＦネットワーク要素の概略構造図と同様である。ＳＭＦネットワーク要素に含まれるモジュールまたはコンポーネントは、上述の方法におけるＳＭＦネットワーク要素が行う動作に対応していてよい。ここでは詳細の説明は繰り返さない。
【０３４９】
本出願の一実施形態はさらに、ＵＰＦネットワーク要素を提供する。図１８、図１９、および図２０に示すように、ＵＰＦネットワーク要素の概略構造図は、上述した第１ＡＭＦネットワーク要素または上述した第２ＡＭＦネットワーク要素の概略構造図と同様である。ＵＰＦネットワーク要素に含まれるモジュールまたはコンポーネントは、上述の方法におけるＵＰＦネットワーク要素が行う動作に対応していてよい。ここでは詳細の説明は繰り返さない。
【０３５０】
本出願の実施形態に開示される内容に関連して説明した方法またはアルゴリズムの段階は、ハードウェア方式で実装されてよく、または、プロセッサがソフトウェア命令を実行する方式で実装されてもよい。ソフトウェア命令は、対応するソフトウェアモジュールを含んでよい。ソフトウェアモジュールは、ランダムアクセスメモリ（ｒａｎｄｏｍ  ａｃｃｅｓｓ  ｍｅｍｏｒｙ、ＲＡＭ）、フラッシュメモリ、リードオンリメモリ（ｒｅａｄ−ｏｎｌｙ  ｍｅｍｏｒｙ、ＲＯＭ）、消去可能プログラマブルリードオンリメモリ（ｅｒａｓａｂｌｅ  ｐｒｏｇｒａｍｍａｂｌｅ  ＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、レジスタ、ハードディスク、リムーバブルハードディスク、コンパクトディスクリードオンリメモリ（ＣＤ−ＲＯＭ）、または、当該技術分野で周知の任意の他の形態の記憶媒体に記憶されてよい。例として使用される記憶媒体はプロセッサに接続され、それにより、プロセッサは、記憶媒体から情報を読み出すことができ、記憶媒体に情報を書き込むことができる。当然ながら、記憶媒体は、プロセッサのコンポーネントであってよい。プロセッサおよび記憶媒体は、ＡＳＩＣ内に位置してよい。加えて、ＡＳＩＣは、第１ＡＭＦネットワーク要素、第２ＡＭＦネットワーク要素、ＳＭＦネットワーク要素、またはＵＰＦネットワーク要素内に位置してよい。当然ながら、プロセッサおよび記憶媒体は個別のコンポーネントとして機能し、これらもまた、第１ＡＭＦネットワーク要素、第２ＡＭＦネットワーク要素、ＳＭＦネットワーク要素、またはＵＰＦネットワーク要素内に位置してよい。
【０３５１】
当業者であれば、上述の実施例の１または複数において、本出願の実施形態で説明した機能の一部または全部を、ハードウェア、ソフトウェア、ファームウェア、またはそれらの任意の組み合わせを使用して実装できることを認識しているはずである。実施形態を実装するのにソフトウェアを使用する場合、実施形態は、完全にまたは部分的にコンピュータプログラム製品の形態で実装できる。コンピュータプログラム製品は、１または複数のコンピュータ命令を含む。コンピュータプログラム命令がコンピュータ上にロードされ実行された場合、本出願の実施形態に係る手順または機能の全部もしくは一部が生成される。コンピュータは、汎用コンピュータ、専用コンピュータ、コンピュータネットワーク、または別のプログラム可能な装置であってよい。コンピュータ命令は、コンピュータ可読記憶媒体に記憶されてよく、または、コンピュータ可読記憶媒体から別のコンピュータ可読記憶媒体に伝送されてよい。例えば、コンピュータ命令は、ウェブサイト、コンピュータ、サーバ、またはデータセンタから別のウェブサイト、コンピュータ、サーバ、またはデータセンタに、有線（例えば、同軸ケーブル、光ファイバ、もしくはデジタル加入者線（ｄｉｇｉｔａｌ  ｓｕｂｓｃｒｉｂｅｒ  ｌｉｎｅ、ＤＳＬ））または無線（例えば、赤外線、電波、またはマイクロ波）の方式で伝送されてよい。コンピュータ可読記憶媒体は、コンピュータがアクセス可能な任意の使用可能な媒体か、または１または複数の使用可能な媒体を統合する、サーバまたはデータセンタなどのデータ記憶デバイスであってよい。使用可能な媒体は、磁気媒体（例えば、フロッピーディスク、ハードディスク、もしくは磁気テープ）、光媒体（例えば、デジタルビデオディスク（ｄｉｇｉｔａｌ  ｖｉｄｅｏ  ｄｉｓｃ、ＤＶＤ））、または半導体媒体（例えば、ソリッドステートディスク（ｓｏｌｉｄ  ｓｔａｔｅ  ｄｉｓｋ、ＳＳＤ））等であってよい。
【０３５２】
本出願の実施形態の目的、技術的解決手段、および有益な効果がさらに、上述の具体的な実装例において詳細に説明されている。上述の説明は、単に本出願の実施形態の具体的な実装例なのであり、本出願の実施形態の保護範囲を限定する意図はないことを理解されたい。本出願の実施形態の技術的解決手段に基づいて成される修正、同等な置き換え、または改善はいずれも、本出願の実施形態の保護範囲に含まれるものとする。
［項目１］
セッション処理方法であって、
第１アクセス・モビリティ管理機能ＡＭＦネットワーク要素が第２ＡＭＦネットワーク要素から第１メッセージを受信する段階であって、上記第１メッセージは、端末の現行セッションに対応する第２ネットワークスライスに関する情報を含み、上記セッションは１つのセッションまたは少なくとも２つのセッションを含む、受信する段階と、
上記第１ＡＭＦネットワーク要素が上記１つのセッションに対応する第２ネットワークスライスまたは上記少なくとも２つのセッションの全部もしくは一部に対応する第２ネットワークスライスをサポートしないと決定したとき、上記第１ＡＭＦネットワーク要素が上記第２ＡＭＦネットワーク要素に第１通知メッセージを送信する段階であって、上記第１通知メッセージは、上記第１ＡＭＦネットワーク要素が上記１つのセッションに対応する第２ネットワークスライスまたは上記少なくとも２つのセッションの全部もしくは一部に対応する第２ネットワークスライスをサポートしないことを上記第２ＡＭＦネットワーク要素に通知するために使用する、送信する段階と
を備える方法。
［項目２］
上記第１ＡＭＦネットワーク要素が上記第２ＡＭＦネットワーク要素に上記第１通知メッセージを送信する前に、上記方法は、
上記第１ＡＭＦネットワーク要素がサポートする第１ネットワークスライスに関する情報が上記１つのセッションに対応する第２ネットワークスライスに関する情報を含まないか、または、上記第１ネットワークスライスに関する情報が上記少なくとも２つのセッションの全部もしくは一部に対応する第２ネットワークスライスに関する情報を含まないと決定したとき、上記第１ＡＭＦネットワーク要素が上記１つのセッションに対応する第２ネットワークスライスまたは上記少なくとも２つのセッションの全部もしくは一部に対応する第２ネットワークスライスをサポートしないと上記第１ＡＭＦネットワーク要素が決定する段階、または、
上記端末に割り当てられた、許可された第３ネットワークスライスに関する情報が上記１つのセッションに対応する第２ネットワークスライスに関する情報を含まないか、または上記端末に割り当てられた第３ネットワークスライスに関する情報が上記少なくとも２つのセッションの全部もしくは一部に対応する第２ネットワークスライスに関する情報を含まないと決定したとき、上記第１ＡＭＦネットワーク要素が上記１つのセッションに対応する第２ネットワークスライスまたは上記少なくとも２つのセッションの全部もしくは一部に対応する第２ネットワークスライスをサポートしないと上記第１ＡＭＦネットワーク要素が決定する段階をさらに備える、
項目１に記載の方法。
［項目３］
上記第１メッセージは、セッション識別子と上記セッション識別子に関連付けられたＳＭＦネットワーク要素識別子とをさらに含み、上記セッションに対応する上記第２ネットワークスライスに関する上記情報は、ＳＭＦネットワーク要素がサポートするネットワークスライスに関する情報である、
項目１または２に記載の方法。
［項目４］
上記第１メッセージは、モビリティ管理コンテキストおよび上記端末の永続的識別子をさらに含む、
項目３に記載の方法。
［項目５］
上記方法は、
上記第１ＡＭＦネットワーク要素が上記１つのセッションに対応する第２ネットワークスライスまたは上記少なくとも２つのセッションの全部もしくは一部に対応する第２ネットワークスライスをサポートすると決定したとき、上記第１ＡＭＦネットワーク要素が上記１つのセッションのためのネットワークリソースまたは上記少なくとも２つのセッションの全部もしくは一部のためのネットワークリソースを準備する段階をさらに備える、
項目３または４に記載の方法。
［項目６］
上記第１メッセージは、上記端末の上記現行セッションのそれぞれのデータネットワーク名ＤＮＮをさらに含む、
項目１から５のいずれか一項に記載の方法。
［項目７］
セッション処理方法であって、
第２アクセス・モビリティ管理機能ＡＭＦネットワーク要素が第１ＡＭＦネットワーク要素に第１メッセージを送信する段階であって、上記第１メッセージは、端末の現行セッションに対応する第２ネットワークスライスに関する情報を含み、上記セッションは１つのセッションまたは少なくとも２つのセッションを含む、送信する段階と、
上記第２ＡＭＦネットワーク要素が上記第１ＡＭＦネットワーク要素から第１通知メッセージを受信する段階であって、上記第１通知メッセージは、上記第１ＡＭＦネットワーク要素が上記１つのセッションに対応する第２ネットワークスライスまたは上記少なくとも２つのセッションの全部もしくは一部に対応する第２ネットワークスライスをサポートしないことを上記第２ＡＭＦネットワーク要素に通知するために使用する、受信する段階と、
上記第２ＡＭＦネットワーク要素が上記１つのセッションに対応するネットワークリソースまたは上記少なくとも２つのセッションの全部もしくは一部に対応するネットワークリソースを解放する段階と
を備える方法。
［項目８］
上記方法は、
上記第２ＡＭＦネットワーク要素が、上記１つのセッションのセッション識別子と関連付けられたセッション管理機能ＳＭＦネットワーク要素または上記少なくとも２つのセッションの全部もしくは一部のセッション識別子と関連付けられたＳＭＦネットワーク要素に第２通知メッセージを送信する段階であって、上記第２通知メッセージは、上記端末が上記第２ＡＭＦネットワーク要素のスライスサービスエリア外に移動したことを上記ＳＭＦネットワーク要素に通知するために使用する、送信する段階をさらに備える、
項目７に記載の方法。
［項目９］
上記第２ＡＭＦネットワーク要素が上記１つのセッションに対応するネットワークリソースまたは上記少なくとも２つのセッションの全部もしくは一部に対応するネットワークリソースを解放する上記段階は、
上記第１通知メッセージを受信したとき、上記第２ＡＭＦネットワーク要素が上記１つのセッションに対応するネットワークリソースまたは上記少なくとも２つのセッションの全部もしくは一部に対応するネットワークリソースを直ちに解放する段階、または、
上記第１通知メッセージを受信したとき、上記第２ＡＭＦネットワーク要素が上記１つのセッションに対応するネットワークリソースまたは上記少なくとも２つのセッションの全部もしくは一部に対応するネットワークリソースを事前に設定した時間が経過した後に解放する段階を有する、
項目７または８に記載の方法。
［項目１０］
上記第１メッセージは、セッション識別子および上記セッション識別子と関連付けられたＳＭＦネットワーク要素識別子をさらに含み、上記セッションに対応する上記第２ネットワークスライスに関する上記情報は、ＳＭＦネットワーク要素がサポートするネットワークスライスに関する情報である、
項目７から９のいずれか一項に記載の方法。
［項目１１］
上記第１メッセージは、モビリティ管理コンテキストおよび上記端末の永続的識別子をさらに含む、
項目１０に記載の方法。
［項目１２］
上記第１メッセージは、上記端末の上記現行セッションのそれぞれのデータネットワーク名ＤＮＮをさらに含む、
項目７から１１のいずれか一項に記載の方法。
［項目１３］
セッション処理方法であって、
セッション管理機能ＳＭＦネットワーク要素が第２ＡＭＦネットワーク要素から第２通知メッセージを受信する段階であって、上記第２通知メッセージは、端末が上記第２ＡＭＦネットワーク要素のスライスサービスエリア外に移動したことを上記ＳＭＦネットワーク要素に通知するために使用する、受信する段階と、
上記ＳＭＦネットワーク要素が、上記端末の、上記ＳＭＦネットワーク要素と関連付けられたセッションが占有するネットワークリソースを解放する段階と
を備える方法。
［項目１４］
上記方法は、
上記ＳＭＦネットワーク要素が上記セッションのセッション識別子と関連付けられたユーザプレーン機能ＵＰＦネットワーク要素に第３通知メッセージを送信する段階であって、上記第３通知メッセージは、上記端末が上記第２ＡＭＦネットワーク要素のスライスサービスエリア外に移動したことを上記ＵＰＦネットワーク要素に通知するために使用する、送信する段階をさらに備える、
項目１３に記載の方法。
［項目１５］
セッション処理方法であって、
ユーザプレーン機能ＵＰＦネットワーク要素がセッション管理機能ＳＭＦネットワーク要素から第３通知メッセージを受信する段階であって、上記第３通知メッセージは、端末が第２ＡＭＦネットワーク要素のスライスサービスエリア外に移動したことを上記ＵＰＦネットワーク要素に通知するために使用する、受信する段階と、
上記ＵＰＦネットワーク要素が、上記端末の、上記ＵＰＦネットワーク要素と関連付けられたセッションが占有するネットワークリソースを解放する段階と
を備える方法。
［項目１６］
アクセス・モビリティ管理機能ＡＭＦネットワーク要素であって、上記アクセス・モビリティ管理機能ＡＭＦネットワーク要素は第１ＡＭＦネットワーク要素であり、上記第１ＡＭＦネットワーク要素は、処理ユニット、受信ユニット、および送信ユニットを備え、
上記処理ユニットは、第２ＡＭＦネットワーク要素から、１つのセッションまたは少なくとも２つのセッションを含む端末の現行セッションに対応する第２ネットワークスライスに関する情報を含む第１メッセージを上記受信ユニットを使用して受信し、
上記第１ＡＭＦネットワーク要素が上記１つのセッションに対応する第２ネットワークスライスまたは上記少なくとも２つのセッションの全部もしくは一部に対応する第２ネットワークスライスをサポートしないと上記送信ユニットが決定したとき、上記処理ユニットは、上記第２ＡＭＦネットワーク要素に、上記第１ＡＭＦネットワーク要素が上記１つのセッションに対応する第２ネットワークスライスまたは上記少なくとも２つのセッションの全部もしくは一部に対応する第２ネットワークスライスをサポートしないことを上記第２ＡＭＦネットワーク要素に通知するために使用する第１通知メッセージを送信する、
ＡＭＦネットワーク要素。
［項目１７］
上記処理ユニットはさらに、上記第１ＡＭＦネットワーク要素がサポートする第１ネットワークスライスに関する情報が上記１つのセッションに対応する第２ネットワークスライスに関する情報を含まないか、または、上記第１ネットワークスライスに関する情報が上記少なくとも２つのセッションの全部もしくは一部に対応する第２ネットワークスライスに関する情報を含まないと決定したとき、上記第１ＡＭＦネットワーク要素が上記１つのセッションに対応する第２ネットワークスライスまたは上記少なくとも２つのセッションの全部もしくは一部に対応する第２ネットワークスライスをサポートしないと決定するよう構成されるか、または、
上記処理ユニットはさらに、上記端末に割り当てられた、許可された第３ネットワークスライスに関する情報が上記１つのセッションに対応する第２ネットワークスライスに関する情報を含まないか、または、上記端末に割り当てられた第３ネットワークスライスに関する情報が上記少なくとも２つのセッションの全部もしくは一部に対応する第２ネットワークスライスに関する情報を含まないと決定したとき、上記第１ＡＭＦネットワーク要素が上記１つのセッションに対応する第２ネットワークスライスまたは上記少なくとも２つのセッションの全部もしくは一部に対応する第２ネットワークスライスをサポートしないと決定するよう構成される、
項目１６に記載のＡＭＦネットワーク要素。
［項目１８］
上記第１メッセージはセッション識別子および上記セッション識別子と関連付けられたＳＭＦネットワーク要素識別子をさらに含み、上記セッションに対応する上記第２ネットワークスライスに関する上記情報は、ＳＭＦネットワーク要素がサポートするネットワークスライスに関する情報である、
項目１６または１７に記載のＡＭＦネットワーク要素。
［項目１９］
上記第１メッセージは、モビリティ管理コンテキストおよび上記端末の永続的識別子をさらに含む、
項目１８に記載のＡＭＦネットワーク要素。
［項目２０］
上記処理ユニットはさらに、上記第１ＡＭＦネットワーク要素が上記１つのセッションに対応する第２ネットワークスライスまたは上記少なくとも２つのセッションの全部もしくは一部に対応する第２ネットワークスライスをサポートすると決定したとき、上記１つのセッションのためのネットワークリソースまたは上記少なくとも２つのセッションの全部もしくは一部のためのネットワークリソースを準備するよう構成される、
項目１８または１９に記載のＡＭＦネットワーク要素。
［項目２１］
上記第１メッセージは、上記端末の上記現行セッションのそれぞれのデータネットワーク名ＤＮＮをさらに含む、
項目１６から２０のいずれか一項に記載のＡＭＦネットワーク要素。
［項目２２］
アクセス・モビリティ管理機能ＡＭＦネットワーク要素であって、上記アクセス・モビリティ管理機能ＡＭＦネットワーク要素は第２ＡＭＦネットワーク要素であり、上記第２ＡＭＦネットワーク要素は処理ユニット、受信ユニット、および送信ユニットを備え、
上記処理ユニットは、第１ＡＭＦネットワーク要素に、１つのセッションまたは少なくとも２つのセッションを含む端末の現行セッションに対応する第２ネットワークスライスに関する情報を含む第１メッセージを上記送信ユニットを使用して送信し、
上記処理ユニットは、上記第１ＡＭＦネットワーク要素から、上記第１ＡＭＦネットワーク要素が上記１つのセッションに対応する第２ネットワークスライスまたは上記少なくとも２つのセッションの全部もしくは一部に対応する第２ネットワークスライスをサポートしないことを上記第２ＡＭＦネットワーク要素に通知するために使用する第１通知メッセージを上記受信ユニットを使用して受信し、
上記処理ユニットはさらに、上記１つのセッションに対応するネットワークリソースまたは上記少なくとも２つのセッションの全部もしくは一部に対応するネットワークリソースを解放するよう構成される、
ＡＭＦネットワーク要素。
［項目２３］
上記処理ユニットは、上記１つのセッションのセッション識別子と関連付けられたセッション管理機能ＳＭＦネットワーク要素または上記少なくとも２つのセッションの全部もしくは一部のセッション識別子と関連付けられたＳＭＦネットワーク要素に、上記端末が上記第２ＡＭＦネットワーク要素のスライスサービスエリア外に移動したことを上記ＳＭＦネットワーク要素に通知するために使用する第２通知メッセージを上記送信ユニットを使用して送信する、
項目２２に記載のＡＭＦネットワーク要素。
［項目２４］
上記１つのセッションに対応するネットワークリソースまたは上記少なくとも２つのセッションの全部もしくは一部に対応するネットワークリソースを解放する上記態様において、上記処理ユニットは、具体的に、
上記第１通知メッセージを受信したとき、上記１つのセッションに対応するネットワークリソースまたは上記少なくとも２つのセッションの全部もしくは一部に対応するネットワークリソースを直ちに解放するか、または
上記第１通知メッセージを受信したとき、上記１つのセッションに対応するネットワークリソースまたは上記少なくとも２つのセッションの全部もしくは一部に対応するネットワークリソースを、事前に設定した時間が経過した後に解放するよう構成される、
項目２２または２３に記載のＡＭＦネットワーク要素。
［項目２５］
上記第１メッセージはセッション識別子および上記セッション識別子と関連付けられたＳＭＦネットワーク要素識別子をさらに含み、上記セッションに対応する上記第２ネットワークスライスに関する上記情報は、ＳＭＦネットワーク要素がサポートするネットワークスライスに関する情報である、
項目２２から２４のいずれか一項に記載のＡＭＦネットワーク要素。
［項目２６］
上記第１メッセージは、モビリティ管理コンテキストおよび上記端末の永続的識別子をさらに含む、
項目２５に記載のＡＭＦネットワーク要素。
［項目２７］
上記第１メッセージは、上記端末の上記現行セッションのそれぞれのデータネットワーク名ＤＮＮをさらに含む、
項目２２から２６のいずれか一項に記載のＡＭＦネットワーク要素。
［項目２８］
処理ユニットおよび受信ユニットを備えるセッション管理機能ＳＭＦネットワーク要素であって、
上記処理ユニットは、第２ＡＭＦネットワーク要素から、端末が上記第２ＡＭＦネットワーク要素のスライスサービスエリア外に移動したと上記ＳＭＦネットワーク要素に通知するために使用する第２通知メッセージを上記受信ユニットを使用して受信し、
上記処理ユニットは、上記端末の、上記ＳＭＦネットワーク要素と関連付けられたセッションが占有するネットワークリソースを解放するよう構成される、
ＳＭＦネットワーク要素。
［項目２９］
上記ＳＭＦネットワーク要素は送信ユニットをさらに備え、
上記処理ユニットは、上記セッションのセッション識別子と関連付けられたユーザプレーン機能ＵＰＦネットワーク要素に、上記端末が上記第２ＡＭＦネットワーク要素のスライスサービスエリア外に移動したことを上記ＵＰＦネットワーク要素に通知するために使用する第３通知メッセージを上記送信ユニットを使用して送信する、
項目２８に記載のＳＭＦネットワーク要素。
［項目３０］
処理ユニットおよび受信ユニットを備えるユーザプレーン機能ＵＰＦネットワーク要素であって、
上記処理ユニットは、セッション管理機能ＳＭＦネットワーク要素から、端末が第２ＡＭＦネットワーク要素のスライスサービスエリア外に移動したことを上記ＵＰＦネットワーク要素に通知するために使用する第３通知メッセージを上記受信ユニットを使用して受信し、
上記処理ユニットは、上記端末の、上記ＵＰＦネットワーク要素と関連付けられたセッションが占有するネットワークリソースを解放するよう構成される、
ＵＰＦネットワーク要素。
［項目３１］
項目１から６のいずれか一項に記載の方法を行うよう構成されるモジュールを備えるセッション処理装置。
［項目３２］
項目７から１２のいずれか一項に記載の方法を行うよう構成されるモジュールを備えるセッション処理装置。
［項目３３］
項目１３または１４に記載の方法を行うよう構成されるモジュールを備えるセッション処理装置。
［項目３４］
項目１５に記載の方法を行うよう構成されるモジュールを備えるセッション処理装置。
［項目３５］
アクセス・モビリティ管理機能ＡＭＦネットワーク要素であって、
プロセッサと、
上記プロセッサに接続され、上記プロセッサによって実行されると、上記ＡＭＦネットワーク要素に項目１から６のいずれか一項に記載の方法を行わせるプログラム命令を記憶したメモリと
を備えるＡＭＦネットワーク要素。
［項目３６］
アクセス・モビリティ管理機能ＡＭＦネットワーク要素であって、
プロセッサと、
上記プロセッサに接続され、上記プロセッサによって実行されると、上記ＡＭＦネットワーク要素に項目７から１２のいずれか一項に記載の方法を行わせるプログラム命令を記憶したメモリと
を備えるＡＭＦネットワーク要素。
［項目３７］
セッション管理機能ＳＭＦネットワーク要素であって、
プロセッサと、
上記プロセッサに接続され、上記プロセッサによって実行されると、上記ＳＭＦネットワーク要素に項目１３または１４に記載の方法を行わせるプログラム命令を記憶したメモリと
を備えるＳＭＦネットワーク要素。
［項目３８］
ユーザプレーン機能ＵＰＦネットワーク要素であって、
プロセッサと、
上記プロセッサに接続され、上記プロセッサによって実行されると、上記ＵＰＦネットワーク要素に項目１５に記載の方法を行わせるプログラム命令を記憶したメモリと
を備えるＵＰＦネットワーク要素。
［項目３９］
コンピュータプログラムを備え、上記コンピュータプログラムがコンピュータ上で動作すると、上記コンピュータは項目１から１５のいずれか一項に記載のセッション処理方法を実行する、
コンピュータプログラム製品。
［項目４０］
セッション管理システムであって、項目３５に記載のＡＭＦネットワーク要素および項目３６に記載のＡＭＦネットワーク要素を備える
システム。
［項目４１］
項目３７に記載のＳＭＦネットワーク要素をさらに備える、項目４０に記載のシステム。
［項目４２］
項目３８に記載のＵＰＦネットワーク要素をさらに備える、項目４１に記載のシステム。
［項目４３］
セッション処理方法であって、
第１アクセス・モビリティ管理機能ＡＭＦネットワーク要素が第２ＡＭＦネットワーク要素から第１メッセージを受信する段階であって、上記第１メッセージは、端末の現行セッションのセッション識別子と、上記現行セッションに対応するネットワークスライスに関する情報とを含み、上記現行セッションは１つのセッションまたは少なくとも２つのセッションを含む、受信する段階と、
上記第１ＡＭＦネットワーク要素が第１セッションに対応するネットワークスライスをサポートしないと決定したとき、上記第１ＡＭＦネットワーク要素が上記第２ＡＭＦネットワーク要素に第１通知メッセージを送信する段階であって、上記第１通知メッセージは、上記第１ＡＭＦネットワーク要素が上記第１セッションに対応するネットワークスライスをサポートしないことを上記第２ＡＭＦネットワーク要素に通知するために使用され、上記第１セッションは上記現行セッションのうちの任意のセッションである、送信する段階と
を備える方法。
［項目４４］
上記第１ＡＭＦネットワーク要素が上記第２ＡＭＦネットワーク要素に上記第１通知メッセージを送信する前に、上記方法は、
上記第１ＡＭＦネットワーク要素がサポートするネットワークスライスに関する情報が上記第１セッションに対応するネットワークスライスに関する情報を含まないと決定することによって、上記第１ＡＭＦネットワーク要素が上記第１セッションに対応するネットワークスライスをサポートしないと上記第１ＡＭＦネットワーク要素が決定する段階、または、
上記端末に割り当てられた、許可されたネットワークスライスに関する情報が上記第１セッションに対応するネットワークスライスに関する情報を含まないと決定することによって、上記第１ＡＭＦネットワーク要素が上記第１セッションに対応するネットワークスライスをサポートしないと上記第１ＡＭＦネットワーク要素が決定する段階をさらに備える、
項目４３に記載の方法。
［項目４５］
上記第１メッセージは、上記端末の上記現行セッションと関連付けられたＳＭＦネットワーク要素識別子をさらに含む、
項目４３または４４に記載の方法。
［項目４６］
セッション処理方法であって、
第２アクセス・モビリティ管理機能ＡＭＦネットワーク要素が第１ＡＭＦネットワーク要素に第１メッセージを送信する段階であって、上記第１メッセージは、端末の現行セッションのセッション識別子と上記現行セッションに対応するネットワークスライスに関する情報とを含み、上記現行セッションは１つのセッションまたは少なくとも２つのセッションを含む、送信する段階と、
上記第２ＡＭＦネットワーク要素が上記第１ＡＭＦネットワーク要素から第１通知メッセージを受信する段階であって、上記第１通知メッセージは、上記第１ＡＭＦネットワーク要素が上記第１セッションに対応するネットワークスライスをサポートしないことを上記第２ＡＭＦネットワーク要素に通知するために使用し、上記第１セッションは上記現行セッションのうちの任意のセッションである、受信する段階と、
上記第２ＡＭＦネットワーク要素が上記第１セッションに対応するネットワークリソースを解放する段階と
を備える方法。
［項目４７］
上記第２ＡＭＦネットワーク要素が上記第１セッションに対応するネットワークリソースを解放する上記段階は、
上記第２ＡＭＦネットワーク要素が上記第１セッションと関連付けられたＳＭＦネットワーク要素に第２通知メッセージを送信する段階であって、上記第２通知メッセージは、上記第１セッションの上記ＳＭＦ側の上記ネットワークリソースを解放するよう、上記第１セッションと関連付けられた上記ＳＭＦネットワーク要素に通知するために使用する、送信する段階を有する、
項目４６に記載の方法。
［項目４８］
上記第２ＡＭＦネットワーク要素が上記第１セッションと関連付けられたＳＭＦネットワーク要素に第２通知メッセージを送信する上記段階の前に、上記方法は、
上記第２ＡＭＦネットワーク要素がセッション識別子とＳＭＦネットワーク要素識別子との間の対応関係に基づいて上記第１セッションと関連付けられた上記ＳＭＦネットワーク要素を決定する段階をさらに備える、
項目４７に記載の方法。 
［項目４９］
項目４３から４５のいずれか一項に記載のセッション処理方法を行うための装置。
［項目５０］
項目４６から４８のいずれか一項に記載のセッション処理方法を行うための装置。
［項目５１］
アクセス・モビリティ管理機能ＡＭＦネットワーク要素であって、
プロセッサと、
上記プロセッサに接続され、上記プロセッサによって実行されると、上記ＡＭＦネットワーク要素に項目４３から４５のいずれか一項に記載の方法を行わせるプログラム命令を記憶したメモリと
を備えるＡＭＦネットワーク要素。
［項目５２］
アクセス・モビリティ管理機能ＡＭＦネットワーク要素であって、
プロセッサと、
上記プロセッサに接続され、上記プロセッサによって実行されると、上記ＡＭＦネットワーク要素に項目４６から４８のいずれか一項に記載の方法を行わせるプログラム命令を記憶したメモリと
を備えるＡＭＦネットワーク要素。
［項目５３］
コンピュータプログラムを備え、上記コンピュータプログラムがコンピュータ上で動作すると、上記コンピュータは項目４３から４８のいずれか一項に記載のセッション処理方法を実行する、
コンピュータプログラム製品。
［項目５４］
項目５１に記載のＡＭＦネットワーク要素および項目５２に記載のＡＭＦネットワーク要素を備えるセッション管理システム。
【図１】
0006908336.tif 000002
【図２Ａ】
0006908336.tif 000003
【図２Ｂ】
0006908336.tif 000004
【図３】
0006908336.tif 000005
【図４】
0006908336.tif 000006
【図５Ａ】
0006908336.tif 000007
【図５Ｂ】
0006908336.tif 000008
【図６Ａ】
0006908336.tif 000009
【図６Ｂ】
0006908336.tif 000010
【図７】
0006908336.tif 000011
【図８Ａ】
0006908336.tif 000012
【図８Ｂ】
0006908336.tif 000013
【図９】
0006908336.tif 000014
【図１０】
0006908336.tif 000015
【図１１】
0006908336.tif 000016
【図１２】
0006908336.tif 000017
【図１３】
0006908336.tif 000018
【図１４】
0006908336.tif 000019
【図１５】
0006908336.tif 000020
【図１６】
0006908336.tif 000021
【図１７】
0006908336.tif 000022
【図１８】
0006908336.tif 000023
【図１９】
0006908336.tif 000024
【図２０】
0006908336.tif 000025